(57)【要約】  本開示は、機器制御分野に属し、タッチアセンブリ、機器制御方法、コントローラ、電子機器、プログラム及び記録媒体に関する。前記タッチアセンブリは、タッチパッド、及びコントローラを含み、タッチパッドは、当該タッチパッドに対するタッチ操作を検出し、当該タッチ操作に対応するタッチ信号をコントローラに送信するためのものであり、コントローラは、タッチ信号に従ってタッチ操作を解析し、タッチ操作及び電子機器の作動状態に基づいて、電子機器を制御するためのものである。本開示は、コントローラが、タッチパッドから送信されたタッチ信号に従ってタッチパッド二対するタッチ操作を解析し、当該タッチ操作及び電子機器の作動状態に基づいて、電子機器を制御することによって、ユーザーが、タッチパッドに対する異なるタッチ操作により、異なる物理ボタンを探して押下せずに電子機器の制御を完成することができ、従来技術におけるユーザーが物理ボタンを使用する時に誤操作しやすい問題を解決して、ユーザー操作を簡素化しユーザーの使用感を高めるという効果を達成した。  【選択図】図１
2016520947.tif 000002
【特許請求の範囲】
【請求項１】
電子機器に用いられるタッチアセンブリであって、
自装置に対するタッチ操作を検出し、前記タッチ操作に対応するタッチ信号を送信するためのタッチパッドと、
前記タッチ信号を受信し、前記タッチ信号に従って前記タッチ操作を解析し、前記電子機器の作動状態を取得して、前記タッチ操作及び前記電子機器の作動状態に基づいて前記電子機器を制御するためのコントローラと、を備える
ことを特徴とするタッチアセンブリ。
【請求項２】
前記コントローラは、前記電子機器の作動状態が待機で、かつ前記タッチ操作が第１操作である場合に、前記電子機器をオンさせるように制御し、
前記コントローラは、前記電子機器の作動状態がオンで、かつ前記タッチ操作が第２操作である場合に、前記電子機器を待機させるように制御する
ことを特徴とする請求項１に記載のタッチアセンブリ。
【請求項３】
前記コントローラは、前記電子機器の作動状態がオンで、制御インタフェースを表示し、かつ前記タッチ操作が第３操作である場合に、少なくとも１つの機能項目に対応するアイコンを含む前記制御インタフェースにおいて選択される機能項目に対応するアイコンを切り替える
ことを特徴とする請求項１に記載のタッチアセンブリ。
【請求項４】
前記コントローラは、前記電子機器の作動状態がオンで、かつ制御インタフェースを表示していない場合に、前記電子機器のＧＵＩ表示状態を取得し、前記ＧＵＩ表示状態に基づいて、前記制御インタフェースに対応する機能項目リストを決定し、前記機能項目リストに基づいて、前記機能項目リストに含まれる全部または一部の機能項目である前記少なくとも１つの機能項目に対応するアイコンを表示する
ことを特徴とする請求項３に記載のタッチアセンブリ。
【請求項５】
前記コントローラは、前記電子機器の作動状態がオンで、制御インタフェースを表示し、かつ前記タッチ操作が第４操作である場合に、前記制御インタフェースにおいて選択される機能項目に対応する制御命令を実行する
ことを特徴とする請求項１に記載のタッチアセンブリ。
【請求項６】
請求項１〜５の何れか１項に記載のタッチアセンブリに用いられる機器制御方法であって、
前記タッチアセンブリにおけるタッチパッドから送信された、前記タッチパッドに対するタッチ操作に対応するタッチ信号を受信するステップと、
前記タッチ信号に従って、前記タッチ操作を解析するステップと、
前記電子機器の作動状態を取得するステップと、
前記タッチ操作及び前記電子機器の作動状態に基づいて、前記電子機器を制御するステップと、を含む
ことを特徴とする機器制御方法。
【請求項７】
前記タッチ操作及び前記電子機器の作動状態に基づいて、前記電子機器を制御するステップは、
前記電子機器の作動状態が状態で、かつ前記タッチ操作が第１操作である場合に、前記電子機器をオンさせるように制御するステップと、
前記電子機器の作動状態が状態で、かつ前記タッチ操作が第２操作である場合に、前記電子機器を待機させるように制御するステップと、を含む
ことを特徴とする請求項６に記載の機器制御方法。
【請求項８】
前記タッチ操作及び前記電子機器の作動状態に基づいて、前記電子機器を制御するステップは、
前記電子機器の作動状態がオンで、制御インタフェースを表示し、かつ前記タッチ操作が第３操作である場合に、少なくとも１つの機能項目に対応するアイコンを含む前記制御インタフェースにおいて選択される機能項目に対応するアイコンを切替えるステップを含む
ことを特徴とする請求項６に記載の機器制御方法。
【請求項９】
さらに、
前記電子機器の作動状態がオンで、かつ制御インタフェースを表示していない場合に、前記電子機器のＧＵＩ表示状態を取得するステップと、
前記ＧＵＩ表示状態に基づいて、前記制御インタフェースに対応する機能項目リストを決定するステップと、
前記機能項目リストに基づいて、前記機能項目リストに含まれる全部又は一部の機能項目である前記少なくとも１つの機能項目に対応するアイコンを表示するステップと、を含む
ことを特徴とする請求項８に記載の機器制御方法。
【請求項１０】
前記タッチ操作及び前記電子機器の作動状態に基づいて、前記電子機器を制御するステップは、
前記電子機器の作動状態がオンで、制御インタフェースを表示し、前記タッチ操作が第４操作である場合に、前記制御インタフェースにおいて選択される機能項目に対応する制御命令を実行するステップを含む
ことを特徴とする請求項６に記載の機器制御方法。
【請求項１１】
請求項１〜５の何れか１項に記載のタッチアセンブリに用いられるコントローラであって、
前記タッチアセンブリにおけるタッチパッドから送信された、前記タッチパッドに対するタッチ操作に対応するタッチ信号を受信するためのタッチ信号受信モジュールと、
前記タッチ信号に基づいて、前記タッチ操作を解析するための解析モジュールと、
前記電子機器の作動状態を取得するための第１状態取得モジュールと、
前記タッチ操作及び前記電子機器の作動状態に基づいて、電子機器を制御するための制御モジュールと、を含む
ことを特徴とするコントローラ。
【請求項１２】
前記制御モジュールは、
前記電子機器の作動状態が待機状態で、かつ前記タッチ操作が第１操作である場合に、前記電子機器をオンさせるように制御するための第１制御手段と、
前記電子機器の作動状態がオン状態で、かつ前記タッチ操作が第２操作である場合に、前記電子機器を待機させるように制御するための第２制御手段と、を含む
ことを特徴とする請求項１１に記載のコントローラ。
【請求項１３】
前記制御モジュールは、
前記電子機器が制御インタフェースを表示し、前記タッチ操作が第３操作である場合に、少なくとも１つの機能項目に対応するアイコンを含む前記制御インタフェースにおいて選択される機能項目に対応するアイコンを切り替えるための切替モジュールを含む
ことを特徴とする請求項１１に記載のコントローラ。
【請求項１４】
さらに、
前記電子機器がオン状態で、かつ制御インタフェースを表示していない場合に、前記電子機器のＧＵＩ表示状態を取得するための第２状態取得モジュールと、
前記ＧＵＩ表示状態に基づいて、前記制御インタフェースに対応する機能項目リストを決定するためのリスト決定モジュールと、
前記機能項目リストに基づいて、前記機能項目リストに含まれる全部または一部の機能項目である前記少なくとも１つの機能項目を含む前記制御インタフェースを表示するための表示モジュールと、含む
ことを特徴とする請求項１３に記載のコントローラ。
【請求項１５】
前記制御モジュールは、
前記電子機器が制御インタフェースを表示し、前記タッチ操作が第４操作である場合に、前記制御インタフェースにおいて選択される機能項目に対応する制御命令を実行するための実行モジュールを含む
ことを特徴とする請求項１１に記載のコントローラ。
【請求項１６】
請求項１〜５の何れか１項に記載のようなタッチアセンブリの少なくとも１つを含む
ことを特徴とする電子機器。
【発明の詳細な説明】
【相互参照】
【０００１】
本願は、出願番号がＣＮ２０１４１０２００７５６．０であって、出願日が２０１４年５月１３日である中国特許出願に基づき優先権を主張し、当該中国特許出願のすべての内容を本願に援用する。
【技術分野】
【０００２】
本開示は、機器制御分野に関し、特に、タッチアセンブリ、機器制御方法、コントローラ、及び電子機器に関する。
【背景技術】
【０００３】
電子技術の継続的な発展に伴い、インテリジェント電子機器がますます普及している。人々は、電子機器を使用する時に、最高の体験効果を得るために、基本的に、音量調節を行うなど、電子機器を制御する必要がある。
【０００４】
サイズの大きい電子機器は、通常、リモコンまたは電子機器に設けられた物理ボタンによって制御することができる。電子機器がテレビであることを例として、従来技術において、テレビは、通常に１つのリモコンを具備し、テレビに対するほぼ全ての操作がリモコンによって完成することができる。テレビのリモコンを紛失したり破損したりした場合、ユーザーは、テレビに設けられたいくつの物理ボタンによって、テレビを制御してもよく、例えば、通常、テレビには、電源ボタン、メニューボタン、音量＋ボタン、音量ーボタン、チャンネル＋ボタン、及びチャンネルーボタンの６つの物理ボタンが設けられ、リモコンを使用することができない場合、これらの６つの物理ボタンを使用してテレビを制御することができる。
【０００５】
本公開を実現する過程において、従来技術において少なくとも以下のような問題を抱えることを発見した。
【０００６】
比較的全面的な機能を実現するために、通常、電子機器に複数の物理ボタンを設ける必要があり、また、各物理ボタンの機能が互いに異なるため、ユーザーが物理ボタンを使用する時に、誤操作しやすく、例えば、テレビの物理ボタンを使用して音量を調節しようとする時に、チャンネルのボタンを間違えて押す可能性があり、よって、ユーザーの操作に不都合が生じて、ユーザーの使用感が高くない。
【発明の概要】
【０００７】
本開示の実施例は、従来技術における、ユーザーが物理ボタンを使用する時に誤操作しやすいことで、操作に不都合が生じる問題を解決するために、タッチアセンブリ、機器制御方法、コントローラ、及び電子機器を提供する。前記技術方案は、以下のように示す。
【０００８】
第１方面は、電子機器に用いられるタッチアセンブリを提供し、前記タッチアセンブリは、
自装置に対するタッチ操作を検出し、前記タッチ操作に対応するタッチ信号を送信するためのタッチパッドと、
前記タッチ信号を受信し、前記タッチ信号に従って前記タッチ操作を解析し、前記電子機器の作動状態を取得して、前記タッチ操作及び前記電子機器の作動状態に基づいて前記電子機器を制御するためのコントローラと、を備える。
【０００９】
前記コントローラは、前記電子機器の作動状態が待機で、かつ前記タッチ操作が第１操作である場合に、前記電子機器をオンさせるように制御し、
前記コントローラは、前記電子機器の作動状態がオンで、かつ前記タッチ操作が第２操作である場合に、前記電子機器を待機させるように制御することが好ましい。
【００１０】
前記コントローラは、前記電子機器の作動状態がオンで、制御インタフェースを表示し、かつ前記タッチ操作が第３操作である場合に、少なくとも１つの機能項目に対応するアイコンを含む前記制御インタフェースにおいて選択される機能項目に対応するアイコンを切り替えることが好ましい。
【００１１】
前記コントローラは、前記電子機器の作動状態がオンで、かつ制御インタフェースを表示していない場合に、前記電子機器のＧＵＩ表示状態を取得し、前記ＧＵＩ表示状態に基づいて、前記制御インタフェースに対応する機能項目リストを決定し、前記機能項目リストに基づいて、前記機能項目リストに含まれる全部または一部の機能項目である前記少なくとも１つの機能項目に対応するアイコンを表示することが好ましい。
【００１２】
前記コントローラは、前記電子機器の作動状態がオンで、制御インタフェースを表示し、かつ前記タッチ操作が第４操作である場合に、前記制御インタフェースにおいて選択される機能項目に対応する制御命令を実行することが好ましい。
【００１３】
第２方面は、上記第１方面に記載のタッチアセンブリに用いられる機器制御方法を提供し、前記機器制御方法は、
前記タッチアセンブリにおけるタッチパッドから送信された、前記タッチパッドに対するタッチ操作に対応するタッチ信号を受信するステップと、
前記タッチ信号に従って、前記タッチ操作を解析するステップと、
前記電子機器の作動状態を取得するステップと、
前記タッチ操作及び前記電子機器の作動状態に基づいて、前記電子機器を制御するステップと、を含む。
【００１４】
前記タッチ操作及び前記電子機器の作動状態に基づいて、前記電子機器を制御するステップは、
前記電子機器の作動状態が状態で、かつ前記タッチ操作が第１操作である場合に、前記電子機器をオンさせるように制御するステップと、
前記電子機器の作動状態が状態で、かつ前記タッチ操作が第２操作である場合に、前記電子機器を待機させるように制御するステップと、を含むことが好ましい。
【００１５】
前記タッチ操作及び前記電子機器の作動状態に基づいて、前記電子機器を制御するステップは、
前記電子機器の作動状態がオンで、制御インタフェースを表示し、かつ前記タッチ操作が第３操作である場合に、少なくとも１つの機能項目に対応するアイコンを含む前記制御インタフェースにおいて選択される機能項目に対応するアイコンを切替えるステップを含むことが好ましい。
【００１６】
前記方法は、
さらに、
前記電子機器の作動状態がオンで、かつ制御インタフェースを表示していない場合に、前記電子機器のＧＵＩ表示状態を取得するステップと、
前記ＧＵＩ表示状態に基づいて、前記制御インタフェースに対応する機能項目リストを決定するステップと、
前記機能項目リストに基づいて、前記機能項目リストに含まれる全部又は一部の機能項目である前記少なくとも１つの機能項目に対応するアイコンを表示するステップと、を含むことが好ましい。
【００１７】
前記タッチ操作及び前記電子機器の作動状態に基づいて、前記電子機器を制御するステップは、
前記電子機器の作動状態がオンで、制御インタフェースを表示し、前記タッチ操作が第４操作である場合に、前記制御インタフェースにおいて選択される機能項目に対応する制御命令を実行するステップを含むことが好ましい。
【００１８】
第３方面は、第１方面に記載のタッチアセンブリに用いられるコントローラを提供し、前記コントローラは、
前記タッチアセンブリにおけるタッチパッドから送信された、前記タッチパッドに対するタッチ操作に対応するタッチ信号を受信するためのタッチ信号受信モジュールと、
前記タッチ信号に基づいて、前記タッチ操作を解析するための解析モジュールと、
前記電子機器の作動状態を取得するための第１状態取得モジュールと、
前記タッチ操作及び前記電子機器の作動状態に基づいて、電子機器を制御するための制御モジュールと、を含む。
【００１９】
前記制御モジュールは、
前記電子機器の作動状態が待機状態で、かつ前記タッチ操作が第１操作である場合に、前記電子機器をオンさせるように制御するための第１制御手段と、
前記電子機器の作動状態がオン状態で、かつ前記タッチ操作が第２操作である場合に、前記電子機器を待機させるように制御するための第２制御手段と、を含むことが好ましい。
【００２０】
前記制御モジュールは、
前記電子機器が制御インタフェースを表示し、前記タッチ操作が第３操作である場合に、少なくとも１つの機能項目に対応するアイコンを含む前記制御インタフェースにおいて選択される機能項目に対応するアイコンを切り替えるための切替モジュールを含むことが好ましい。
【００２１】
前記コントローラは、
さらに、
前記電子機器がオン状態で、かつ制御インタフェースを表示していない場合に、前記電子機器のＧＵＩ表示状態を取得するための第２状態取得モジュールと、
前記ＧＵＩ表示状態に基づいて、前記制御インタフェースに対応する機能項目リストを決定するためのリスト決定モジュールと、
前記機能項目リストに基づいて、前記機能項目リストに含まれる全部または一部の機能項目である前記少なくとも１つの機能項目を含む前記制御インタフェースを表示するための表示モジュールと、含むことが好ましい。
【００２２】
前記制御モジュールは、
前記電子機器が制御インタフェースを表示し、前記タッチ操作が第４操作である場合に、前記制御インタフェースにおいて選択される機能項目に対応する制御命令を実行するための実行モジュールを含むことが好ましい。
【００２３】
第４方面は、少なくとも１つの、前記第1方面に記載のタッチアセンブリを含む電子機器を提供する。
【００２４】
本公開の実施例に係る技術方案は、以下のような有益な効果を有する。
コントローラによりタッチパッドから送信されたタッチ信号に従ってタッチパッドに対するタッチ操作を解析し、当該タッチ操作及び電子機器の作動状態に基づいて、電子機器を制御することによって、ユーザーは、タッチパッドに対する異なるタッチ操作により、異なる物理ボタンを探して押下せずに、電子機器を制御することを実現でき、従来技術におけるユーザーが物理ボタンを使用する時に誤操作しやすい問題を解決して、ユーザーの操作を簡素化しユーザーの体験を高めるという効果を達成する。
【００２５】
以上の一般的な記述及び以下の詳細な記述は、例示のものに過ぎず、本開示を限定するものではないと理解すべきである。
【図面の簡単な説明】
【００２６】
ここでの図面は、明細書の一部分として明細書全体を構成することにより、本開示に合致する実施例を例示するとともに、本開示の原理を解釈するためのものである。
【００２７】
【図１】一例示的な実施例に係るタッチアセンブリを示すブロック図である。
【図２】別の一例示的な実施例に係るタッチアセンブリを示すブロック図である。
【図３】別の一例示的な実施例に係るタッチパッドの設置を模式的に示す図である。
【図４】他の一例示的な実施例に係るタッチアセンブリを示すブロック図である。
【図５】他の一例示的な実施例に係るユーザーによる電源オンを模式的に示す図である。
【図６】他の一例示的な実施例に係るユーザーによる電源オフを模式的に示す図である。
【図７】他の一例示的な実施例に係る制御インタフェース表示を模式的に示す図である。
【図８】他の一例示的な実施例に係る機能項目の切替を模式的に示す図である。
【図９】他の一例示的な実施例に係るサブメニュー表示を模式的に示す図である。
【図１０】一例示的な実施例に係る機器制御方法を示すフローチャートである。
【図１１】別の一例示的な実施例に係る機器制御方法を示すフローチャートである。
【図１２】一例示的な実施例に係るコントローラを示すブロック図である。
【図１３】別の一例示的な実施例に係るコントローラを示すブロック図である。
【図１４】一例示的な実施例に係る電子機器を示すブロック図である。
【発明を実施するための形態】
【００２８】
ここで、図面に示された例示的な実施例を詳細に説明する。以下の内容において、図面を言及するとき、特に説明しない限り、異なる図面における同じ符号が同一または同等の要素を示す。以下の例示的な実施例に記載の実施の形態は、本発明と一致するあらゆる実施の形態を代表するわけではない。逆に、それらは、添付された特許請求の範囲に詳細に記載される、本発明の一部の方面と一致する装置及び方法の例にすぎない。
【００２９】
図１は、一例示的な実施例に係るタッチアセンブリを示すブロック図である。前記タッチアセンブリは、電子機器において、電子機器のパラメータを調整するのに用いられ、前記電子機器がテレビまたはディプレイであってもよい。前記タッチアセンブリは、タッチパッド１２０、及びコントローラ１４０を含む。
【００３０】
前記タッチパッド１２０は、当該タッチパッド１２０に対するタッチ操作を検出し、前記タッチ操作に対応するタッチ信号をコントローラ１２０に送信するためのものである。
【００３１】
なお、当該タッチパッドは、例えば電子機器の底部のような電子機器のディスプレイの外部に設けられる。
【００３２】
前記コントローラ１４０は、前記タッチ信号を受信し、前記タッチ信号に従って前記タッチ操作を解析し、電子機器の作動状態を取得して、前記タッチ操作及び前記電子機器の作動状態に基づいて、前記電子機器を制御するためのものである。
【００３３】
以上のように、本例示的な実施例に示したタッチアセンブリによれば、コントローラによりタッチパッドから送信されたタッチ信号に従ってタッチパッドに対するタッチ操作を解析し、当該タッチ操作及び電子機器の作動状態に基づいて、電子機器を制御することによって、ユーザーは、タッチパッドに対する異なるタッチ操作により、異なる物理ボタンを探して押下せずに、電子機器を制御することを実現でき、従来技術におけるユーザーが物理ボタンを使用する時に誤操作しやすい問題を解決して、ユーザーの操作を簡素化しユーザーの体験を高めるという効果を達成する。
【００３４】
図２は、別の一例示的な実施例に係るタッチアセンブリを示すブロック図である。前記タッチアセンブリは、電子機器において、電子機器のパラメータを調整するのに用いられ、前記電子機器がテレビまたはディプレイであってもよい。前記タッチアセンブリは、タッチパッド２２０、及びコントローラ２４０を含む。
【００３５】
前記タッチパッド２２０は、当該タッチパッド２２０に対するタッチ操作を検出し、前記タッチ操作に対応するタッチ信号をコントローラ２４０に送信するためのものである。
【００３６】
例えば、タッチパッドにおいて、複数のタッチポイントを設定してもよい。ユーザーは、指でタッチパッドにおけるタッチポイントに接触する時に静電容量の変化が発生し、誘導電流信号が生じて、タッチパッドは、生じた誘導電流信号に従って、対応するタッチ信号を生成してコントローラに送信する。当該タッチ信号には、ユーザーが現在に接触するタッチポイントの識別子が含まれ、当該タッチポイントの識別子は、例えば、タッチポイントの座標またはタッチポイントの番号であってもよい。
【００３７】
テレビを例として、図３に示したタッチパッドの設置の模式的な図のように、テレビの外観とユーザーの操作の利便性の両方を配慮するために、当該タッチパッドをテレビの底部の真ん中の位置に設ける。
【００３８】
前記コントローラ２４０は、前記タッチ信号を受信し、前記タッチ信号に従って前記タッチ操作を解析し、電子機器の作動状態を取得し、前記タッチ操作及び前記電子機器の作動状態に基づいて、前記電子機器を制御するためのものである。
【００３９】
コントローラは、タッチ信号を受信する時間、及び受信したタッチ信号に含まれるタッチポイントの識別子に基づいて、ユーザーがタッチパッドに対するタッチ操作を解析することができる。当該タッチ操作は、クリック操作、長押し操作やスライド操作などであってもよい。コントローラは、当該タッチ操作及び電子機器の作動状態に基づいて、電子機器に対して、起動、待機、メニュー選択、及び制御命令の実行などの操作を行うことができる。
【００４０】
前記コントローラ２４０は、前記電子機器の作動状態が待機で、かつ前記タッチ操作が第１操作である場合に、前記電子機器をオンするように制御するためのものである。
【００４１】
当該第１操作は、長押し操作であってもよく、テレビを例として、テレビに電源をいれて待機する場合、コントローラは、タッチパッドから送信されたタッチ信号に従って、ユーザーがタッチパッドを長押していることを解析すると、テレビがオンをオンするように制御することができる。
【００４２】
前記コントローラ２４０は、前記電子機器の作動状態がオンの状態で、かつ前記タッチ操作が第２操作である場合に、前記電子機器が待機になるように制御するためのものである。
【００４３】
当該第２操作は、長押し操作であってもよく、テレビがオンの場合、コントローラは、タッチパッドから送信されたタッチ信号に従ってユーザーがタッチパッドを長押していることを解析すると、テレビが待機状態になるように制御することができる。
【００４４】
前記コントローラ２４０は、前記電子機器の作動状態がオンの状態で、制御インタフェースを表示し、かつ前記タッチ操作が第３操作である場合に、少なくとも１つの機能項目に対応するアイコンが含まれる前記制御インタフェースにおいて、選択される機能項目に対応するアイコンを切り替えるためのものである。
【００４５】
当該第３操作は、スライド操作であってもよい。例えば、テレビの制御インタフェースにおいて、１つまたはそれ以上のアイコンを表示することが可能であり、各アイコンは、それぞれ、１つの機能項目に対応して、これらの機能項目には、リモコン探し機能項目、音量調節機能項目、チャンネル選択操作機能項目、入力源切替機能項目、３Ｄモード調整機能項目と、明度調整機能項目などを含む。テレビが制御インタフェースを表示する場合、コントローラによって、ユーザーのタッチパッドに対する操作がスライド操作であることを解析すると、現在に表示されている制御インタフェースにおいて、選択される機能項目のアイコンを切り替え、例えば、チャンネル選択操作機能項目を入力源切替機能項目に切り替える。
【００４６】
制御インタフェースに表示された機能項目に対応するアイコンは、１つの選択される機能項目に対応するアイコンを含み、選択される機能項目と選択されていない機能項目は、表示効果によって区別されることができる。例えば、選択される機能項目の大きさが最大になり、或いは、選択される機能項目がカラーアイコンになることに対して、選択されていない機能項目がモノクロアイコンであり、或いは、選択される機能項目のアイコンが強調表示される等により区別される。
【００４７】
コントローラは、制御インタフェースにおいて選択される機能項目に対応するアイコンを切り替える時、スライド操作のスライド方向を取得して、スライド方向に基づいて、選択される機能項目に対応するアイコンを切り替えてもよい。例えば、テレビの制御インタフェースにおける各機能項目のアイコンは、所定順序で配置され、コントローラによって、ユーザーのタッチパッドに対する操作が右へのスライド操作であることを解析すると、制御インタフェースにおいて選択される機能項目のアイコンを１つ前の機能項目のアイコンに切り替えて、コントローラによって、ユーザーのタッチパッドに対する操作が左へのスライド操作であることを解析すると、制御インタフェースにおいて選択される機能項目のアイコンを１つ次の機能項目のアイコンに切り替える。
【００４８】
スライド操作のスライド方向は、当該スライド操作の接触点が前後に触れたタッチポイントによって決定されてもよい。例えば、事前にタッチパッドにおける各タッチポイントに番号を付け、ユーザーの指がタッチポイントに触れる毎に、タッチパッドがコントローラに現在のタッチポイントの番号を含むタッチ信号を送信し、コントローラは、前後に受信したタッチ信号におけるタッチポイントの番号に基づいて、スライド方向を特定する。
【００４９】
前記コントローラ２４０は、前記電子機器の作動状態がオンの状態で、制御インタフェースを表示し、かつ前記タッチ操作が第４操作である場合に、前記制御インタフェースにおいて選択される機能項目に対応する制御命令を実行するためのものである。
【００５０】
選択される機能項目にサブメニューが存在する場合、当該機能項目に対応する制御命令は、電子機器に選択される機能項目のサブメニューを表示するように指令するための命令であり、選択される機能項目にサブメニューが存在しない場合、当該機能項目に対応する制御命令は、選択される機能項目に対応する機能に基づいて、電子機器を制御するための命令である。
【００５１】
第４操作は、クリック操作であってもよい。テレビが制御インタフェースを表示し、かつコントローラによりユーザーのタッチパッドに対するタッチ操作がクリック操作であることを解析すると、制御インタフェースにおいて選択される機能項目に対応する制御命令を実行する。例えば、現在に選択されている機能アイコンは、リモコン探し機能項目のアイコンであり、当該機能項目にサブメニューが存在しないため、コントローラは、テレビがリモコンに無線信号を送信するように制御し、リモコンが無線信号を受信した後、ユーザーに当該リモコンの位置を通知するように通知音を鳴らす。或いは、現在に選択されている機能項目のアイコンが入力源切替機能項目であり、当該機能項目に入力源選択メニューが存在するため、コントローラは、テレビが入力源選択メニューを表示するように制御し、当該入力源選択メニューが複数の入力源の選択肢を含み、ユーザーは、タッチパッドに対して左右にスライドすることで該当する選択肢を選択するとともに、クリックすることである選択肢に対応する入力源を選定する。
【００５２】
以上のように、本例示的な実施例に示したタッチアセンブリによれば、コントローラによりタッチパッドから送信されたタッチ信号に従ってタッチパッドに対するタッチ操作を解析し、当該タッチ操作及び電子機器の作動状態に基づいて、電子機器を制御することによって、ユーザーは、タッチパッドに対する異なるタッチ操作により、異なる物理ボタンを探して押下せずに、電子機器を制御することを実現でき、従来技術におけるユーザーが物理ボタンを使用する時に誤操作しやすい問題を解決して、ユーザーの操作を簡素化しユーザーの体験を高めるという効果を達成する。
【００５３】
図４は、他の一例示的な実施例に係るタッチアセンブリを模式的にブロック図である。前記タッチアセンブリは、電子機器において、電子機器のパラメータを調整するのに用いられ、前記電子機器がテレビまたはディプレイであってもよい。前記タッチアセンブリは、タッチパッド３２０、及びコントローラ３４０を含む。
【００５４】
前記タッチパッド３２０は、当該タッチパッド３２０に対するタッチ操作を検出し、前記タッチ操作に対応するタッチ信号をコントローラ３４０に送信するためのものである。
【００５５】
例えば、タッチパッドにおいて、複数のタッチポイントを設定してもよい。ユーザーは、指でタッチパッドにおけるタッチポイントに接触する時に静電容量の変化が発生し、誘導電流信号が生じて、タッチパッドは、生じた誘導電流信号に従って、対応するタッチ信号を生成してコントローラに送信する。当該タッチ信号には、ユーザーが現在に接触するタッチポイントの識別子が含まれ、当該タッチポイントの識別子は、例えば、タッチポイントの座標またはタッチポイントの番号であってもよい。
【００５６】
テレビを例として、図３に示したタッチパッドの設置の模式的な図のように、テレビの外観とユーザーの操作の利便性の両方を配慮するために、当該タッチパッドをテレビの底部の真ん中の位置に設ける。
【００５７】
前記コントローラ３４０は、前記タッチ信号を受信し、前記タッチ信号に従って前記タッチ操作を解析し、電子機器の作動状態を取得し、前記タッチ操作及び前記電子機器の作動状態に基づいて、前記電子機器を制御するためのものである。
【００５８】
コントローラは、タッチ信号を受信する時間、及び受信したタッチ信号に含まれるタッチポイントの識別子に基づいて、ユーザーがタッチパッドに対するタッチ操作を解析することができる。当該タッチ操作は、クリック操作、長押し操作やスライド操作などであってもよい。コントローラは、当該タッチ操作及び電子機器の作動状態に基づいて、電子機器に対して、起動、待機、メニュー選択、及び制御命令の実行などの操作を行うことができる。電子機器がスマートテレビであることを例として、当該コントローラは、スマートテレビにおけるＣＰＵである。
【００５９】
前記コントローラ３４０は、前記電子機器の作動状態が待機で、かつ前記タッチ操作が第１操作である場合に、前記電子機器をオンするように制御するためのものである。
【００６０】
当該第１操作は、長押し操作であってもよく、テレビを例として、テレビに電源をいれて待機する場合、コントローラは、タッチパッドから送信されたタッチ信号に従って、ユーザーがタッチパッドを長押していることを解析すると、テレビがオンをオンするように制御することができる。
【００６１】
例えば、図５に示したユーザーによる電源オンの模式的な図を参照して、テレビが待機状態の場合、コントローラは、ユーザーが指でタッチパッドとの接触を３秒以上維持することを解析すると、テレビをオンするように制御する。
【００６２】
前記コントローラ３４０は、前記電子機器の作動状態がオンの状態で、かつ前記タッチ操作が第２操作である場合に、前記電子機器が待機になるように制御するためのものである。
【００６３】
当該第２操作は、長押し操作であってもよく、テレビがオンの場合、コントローラは、タッチパッドから送信されたタッチ信号に従ってユーザーがタッチパッドを長押していることを解析すると、テレビが待機状態になるように制御することができる。
【００６４】
例えば、図６に示したユーザーによる電源オフの模式的な図を参照して、テレビがオン状態の場合、コントローラは、ユーザーが指でタッチパッドとの接触を３秒以上維持することを解析すると、テレビが待機状態になるように制御する。
【００６５】
前記コントローラ３４０は、前記電子機器の作動状態がオンの状態で、制御インタフェースを表示し、かつ前記タッチ操作が第３操作である場合に、少なくとも１つの機能項目に対応するアイコンが含まれる前記制御インタフェースにおいて、選択される機能項目に対応するアイコンを切り替えるためのものである。
【００６６】
当該第３操作は、スライド操作であってもよい。例えば、テレビの制御インタフェースにおいて、１つまたはそれ以上のアイコンを表示することが可能であり、各アイコンは、それぞれ、１つの機能項目に対応して、これらの機能項目には、リモコン探し機能項目、音量調節機能項目、チャンネル選択操作機能項目、入力源切替機能項目、３Ｄモード調整機能項目と、明度調整機能項目などを含む。テレビが制御インタフェースを表示する場合、コントローラによって、ユーザーのタッチパッドに対する操作がスライド操作であることを解析すると、現在に表示されている制御インタフェースにおいて、選択される機能項目のアイコンを切り替え、例えば、チャンネル選択操作機能項目を入力源切替機能項目に切り替える。
【００６７】
制御インタフェースに表示された機能項目に対応するアイコンは、１つの選択される機能項目に対応するアイコンを含み、選択される機能項目と選択されていない機能項目は、表示効果によって区別されることができる。例えば、選択される機能項目の大きさが最大になり、或いは、選択される機能項目がカラーアイコンになることに対して、選択されていない機能項目がモノクロアイコンであり、或いは、選択される機能項目のアイコンが強調表示される等により区別される。
【００６８】
コントローラは、制御インタフェースにおいて選択される機能項目に対応するアイコンを切り替える時、スライド操作のスライド方向を取得して、スライド方向に基づいて、選択される機能項目に対応するアイコンを切り替えてもよい。例えば、テレビの制御インタフェースにおける各機能項目のアイコンは、所定順序で配置され、コントローラによって、ユーザーのタッチパッドに対する操作が右へのスライド操作であることを解析すると、制御インタフェースにおいて選択される機能項目のアイコンを１つ前の機能項目のアイコンに切り替えて、コントローラによって、ユーザーのタッチパッドに対する操作が左へのスライド操作であることを解析すると、制御インタフェースにおいて選択される機能項目のアイコンを１つ次の機能項目のアイコンに切り替える。
【００６９】
スライド操作のスライド方向は、当該スライド操作の接触点が前後に触れたタッチポイントによって決定されてもよい。例えば、事前にタッチパッドにおける各タッチポイントに番号を付け、ユーザーの指がタッチポイントに触れる毎に、タッチパッドがコントローラに現在のタッチポイントの番号を含むタッチ信号を送信し、コントローラは、前後に受信したタッチ信号におけるタッチポイントの番号に基づいて、スライド方向を特定する。
【００７０】
前記コントローラ３４０は、前記電子機器の作動状態がオンであり、かつ制御インタフェースを表示していない場合に、前記電子機器のグラフィカルユーザーインタフェースＧＵＩ（ＧｒａｐｈｉｃａｌＵｓｅｒ Ｉｎｔｅｒｆａｃｅ）の表示状態を取得し、前記ＧＵＩ表示状態に基づいて、前記制御インタフェースに対応する機能項目リストを決定し、前記機能項目リストに基づいて、前記少なくとも１つの機能項目に対応するアイコンを表示するためのものであり、前記少なくとも１つの機能項目は、前記機能項目リストに含まれる全部又は一部の機能項目である。
【００７１】
電子機器がテレビであることを例として、テレビは、例えばデジタルテレビ番組インタフェース表示状態、ビデオ・オン・デマンドインタフェース表示状態、インターネットインタフェース表示状態やゲームインタフェース表示状態など、異なるＧＵＩ表示状態があってもよく、異なる表示状態に対応する制御インタフェースに含まれる機能項目も異なる可能性がある。テレビが制御インタフェースを表示する時に、例えば、テレビがオンであり、かつ制御インタフェースを表示していない場合に、テレビにおけるコントローラによって、ユーザーのタッチパッドに対するクリック操作を解析すると、まず、テレビの現在表示状態を特定し、当該表示状態に基づいて、該当する機能項目リストを決定し、そして、当該機能項目リストに基づいて、制御インタフェース及び当該制御インタフェースに含まれる少なくとも１つの機能項目に対応するアイコンを表示する。
【００７２】
制御インタフェースを表示する際にテレビの表示画面への影響を最小限し、かつユーザーが観測及び操作しやすいために、制御インタフェースをテレビの背景画面の上に透明で表示するとともに、制御インタフェースに対応する機能項目リストにおけるアイコンの一部を集中して表示する。図７に示した制御インタフェース表示の模式的な図を参照して、テレビがオンになって、かつデジタルテレビ番組インタフェース表示状態であって、コントローラによりユーザーのタッチパッドに対するクリック操作を解析すると、デジタルテレビ番組インタフェース表示状態に対応する機能項目リストには含まれる６つの機能項目を検索し、これらの６つの機能項目は、それぞれ、リモコン探し機能項目、音量調節機能項目、チャンネル選択操作機能項目、入力源切替機能項目、３Ｄモード調節機能項目、明度調節機能項目であり、コントローラは、当該６つの機能項目に対応するアイコンを上記の順序で配置して表示し、また、同じ時間でそのうちの３つの機能項目のアイコンのみを表示し、図７において、コントローラは、テレビが制御インタフェースにおいて左から右へ音量調節機能項目、チャンネル選択操作機能項目、及び入力源切替機能を表示するように制御する。そのうち、真ん中に位置するチャンネル選択操作機能項目は、選択されるデフォルト機能項目であるため、そのマイコンの大きさが一番大きい。
【００７３】
図７に示した状態の上で、ユーザーは、タッチパッドに対して左右にスライド操作を行うと、選択される機能項目を切り替えることができる。例えば、図８に示した機能項目の切替の模式的な図を参照して、コントローラにより、ユーザーの指でタッチパッドに対する左へのスライド操作を解析すると、表示されている各機能項目のアイコンの位置を調整し、すなわち、音量調節機能項目のアイコンを非表示し、チャンネル選択操作機能項目に対応するアイコンを最も左の側に移動し、入力源切替機能項目を選択される機能項目に切り替えるとともに、そのアイコンを真ん中に移動して表示し、同時に、最も右の側に、入力源切替機能項目の次の機能項目のアイコン、すなわち３Ｄモード調節機能項目のアイコンを表示する。
【００７４】
前記コントローラ３４０は、前記電子機器の作動状態がオンの状態で、制御インタフェースを表示し、かつ前記タッチ操作が第４操作である場合に、前記制御インタフェースにおいて選択される機能項目に対応する制御命令を実行するためのものである。
【００７５】
選択される機能項目にサブメニューが存在する場合、当該機能項目に対応する制御命令は、電子機器に選択される機能項目のサブメニューを表示するように指令するための命令であり、選択される機能項目にサブメニューが存在しない場合、当該機能項目に対応する制御命令は、選択される機能項目に対応する機能に基づいて、電子機器を制御するための命令である。
【００７６】
第４操作は、クリック操作であってもよい。テレビが制御インタフェースを表示し、かつコントローラによりユーザーのタッチパッドに対するタッチ操作がクリック操作であることを解析すると、制御インタフェースにおいて選択される機能項目に対応する制御命令を実行する。例えば、現在に選択されている機能アイコンは、リモコン探し機能項目のアイコンであり、当該機能項目にサブメニューが存在しないため、コントローラは、テレビがリモコンに無線信号を送信するように制御し、リモコンが無線信号を受信した後、ユーザーに当該リモコンの位置を通知するように通知音を鳴らす。或いは、現在に選択されている機能項目のアイコンが入力源切替機能項目であり、当該機能項目に入力源選択メニューが存在するため、コントローラは、テレビが入力源選択メニューを表示するように制御し、当該入力源選択メニューが複数の入力源の選択肢を含み、ユーザーは、タッチパッドに対して左右にスライドすることで該当する選択肢を選択するとともに、クリックすることである選択肢に対応する入力源を選定する。
【００７７】
図９に示したサブメニュー表示の模式的な図のように、現在、制御インタフェースにおいて選択される機能項目は、入力源切替機能項目であり、コントローラによって、ユーザーのタッチパッドに対するクリック操作を解析すると、入力源切替機能項目のサブメニューに入って、当該サブメニューには５つの入力源のアイコンが含まれ、現在に選択されている入力源のアイコンが選択されていない入力源のアイコンよりも大きいように強調表示される。ユーザーは、左右にスライドする操作によって、選択されている入力源のアイコンを切り替えることができ、図８と異なるのは、サブメニューにおけるアイコンの位置が変わらず、選択されている入力源のアイコンのサイズと表示効果のみを変更することにある。
【００７８】
以上のように、本例示的な実施例に示したタッチアセンブリによれば、コントローラによりタッチパッドから送信されたタッチ信号に従ってタッチパッドに対するタッチ操作を解析し、当該タッチ操作及び電子機器の作動状態に基づいて、電子機器を制御することによって、ユーザーは、タッチパッドに対する異なるタッチ操作により、異なる物理ボタンを探して押下せずに、電子機器を制御することを実現でき、従来技術におけるユーザーが物理ボタンを使用する時に誤操作しやすい問題を解決して、ユーザーの操作を簡素化しユーザーの体験を高めるという効果を達成する。
【００７９】
図１０は、一例示的な実施例に係る機器制御方法を示すフローチャートである。当該機器制御方法は、図１、図２、又は図４に示したタッチアセンブリに適用され、当該タッチアセンブリを含む電子機器を制御するのに用いられることが可能である。当該電子機器は、テレビまたはディスプレイであってもよい。当該機器制御方法は、次のようなステップを含む。
【００８０】
ステップ４０２において、当該タッチアセンブリにおけるタッチパッドから送信された、当該タッチパッドに対するタッチ操作に対応するタッチ信号を受信する。
【００８１】
ステップ４０４において、当該タッチ信号に従って当該タッチ操作を解析する。
【００８２】
ステップ４０６において、当該電子機器の作動状態を取得する。
【００８３】
ステップ４０８において、タッチ操作及び電子機器の状態に基づいて、当該電子機器を制御する。
【００８４】
以上のように、本例示的な実施例に示した機器制御方法によれば、コントローラによりタッチパッドから送信されたタッチ信号に従ってタッチパッドに対するタッチ操作を解析し、当該タッチ操作及び電子機器の作動状態に基づいて、電子機器を制御することによって、ユーザーは、タッチパッドに対する異なるタッチ操作により、異なる物理ボタンを探して押下せずに、電子機器を制御することを実現でき、従来技術におけるユーザーが物理ボタンを使用する時に誤操作しやすい問題を解決して、ユーザーの操作を簡素化しユーザーの体験を高めるという効果を達成する。
【００８５】
図１１は、別の一例示的な実施例に係る機器制御方法を示すフローチャートである。当該機器制御方法は、図１、図２、又は図４に示したタッチアセンブリに適用され、当該タッチアセンブリを含む電子機器を制御するのに用いられることが可能である。当該電子機器は、テレビまたはディスプレイであってもよい。当該機器制御方法は、次のようなステップを含む。
【００８６】
ステップ５０２において、当該タッチアセンブリにおけるタッチパッドから送信された、当該タッチパッドに対するタッチ操作に対応するタッチ信号を受信する。
【００８７】
例えば、タッチパッドにおいて、複数のタッチポイントを設定してもよい。ユーザーは、指でタッチパッドにおけるタッチポイントに接触する時に静電容量の変化が発生し、誘導電流信号が生じて、タッチパッドは、生じた誘導電流信号に従って、対応するタッチ信号を生成してコントローラに送信する。当該タッチ信号には、ユーザーが現在に接触するタッチポイントの識別子が含まれ、当該タッチポイントの識別子は、例えば、タッチポイントの座標またはタッチポイントの番号であってもよい。
【００８８】
ステップ５０４において、当該タッチ信号に従って当該タッチ操作を解析する。
【００８９】
コントローラは、タッチ信号を受信する時間、及び受信したタッチ信号に含まれるタッチポイントの識別子に基づいて、ユーザーがタッチパッドに対するタッチ操作を解析することができる。当該タッチ操作は、クリック操作、長押し操作やスライド操作などであってもよい。コントローラは、当該タッチ操作及び電子機器の作動状態に基づいて、電子機器に対して、起動、待機、メニュー選択、及び制御命令の実行などの操作を行うことができる。
【００９０】
ステップ５０６において、当該電子機器の作動状態を取得する。
【００９１】
電子機器の作動状態は、オン、待機、及び制御インタフェース表示などを含む。
【００９２】
ステップ５０８において、当該電子機器の作動状態が待機で、かつ当該タッチ操作が第１操作である場合に、前記電子機器をオンするように制御する。
【００９３】
当該第１操作は、長押し操作であってもよく、テレビを例として、テレビに電源をいれて待機する場合、コントローラは、タッチパッドから送信されたタッチ信号に従って、ユーザーがタッチパッドを長押していることを解析すると、テレビがオンをオンするように制御することができる。
【００９４】
例えば、図５に示したユーザーによる電源オンの模式的な図を参照して、テレビが待機状態の場合、コントローラは、ユーザーが指でタッチパッドとの接触を３秒以上維持することを解析すると、テレビをオンするように制御する。
【００９５】
ステップ５１０において、当該電子機器の作動状態がオンの状態で、かつ当該タッチ操作が第２操作である場合に、当該電子機器が待機になるように制御する。
【００９６】
当該第２操作は、長押し操作であってもよく、テレビがオンの場合、コントローラは、タッチパッドから送信されたタッチ信号に従ってユーザーがタッチパッドを長押していることを解析すると、テレビが待機状態になるように制御することができる。
【００９７】
例えば、図６に示したユーザーによる電源オフの模式的な図を参照して、テレビがオン状態の場合、コントローラは、ユーザーが指でタッチパッドとの接触を３秒以上維持することを解析すると、テレビが待機状態になるように制御する。
【００９８】
ステップ５１２において、当該電子機器の作動状態がオンの状態で、制御インタフェースを表示し、かつ当該タッチ操作が第３操作である場合に、少なくとも１つの機能項目に対応するアイコンが含まれる前記制御インタフェースにおいて、選択される機能項目に対応するアイコンを切り替える。
【００９９】
当該第３操作は、スライド操作であってもよい。例えば、テレビの制御インタフェースにおいて、１つまたはそれ以上のアイコンを表示することが可能であり、各アイコンは、それぞれ、１つの機能項目に対応して、これらの機能項目には、リモコン探し機能項目、音量調節機能項目、チャンネル選択操作機能項目、入力源切替機能項目、３Ｄモード調整機能項目と、明度調整機能項目などを含む。テレビが制御インタフェースを表示する場合、コントローラによって、ユーザーのタッチパッドに対する操作がスライド操作であることを解析すると、現在に表示されている制御インタフェースにおいて、選択される機能項目のアイコンを切り替え、例えば、チャンネル選択操作機能項目を入力源切替機能項目に切り替える。
【０１００】
制御インタフェースに表示された機能項目に対応するアイコンは、１つの選択される機能項目に対応するアイコンを含み、選択される機能項目と選択されていない機能項目は、表示効果によって区別されることができる。例えば、選択される機能項目の大きさが最大になり、或いは、選択される機能項目がカラーアイコンになることに対して、選択されていない機能項目がモノクロアイコンであり、或いは、選択される機能項目のアイコンが強調表示される等により区別される。
【０１０１】
コントローラは、制御インタフェースにおいて選択される機能項目に対応するアイコンを切り替える時、スライド操作のスライド方向を取得して、スライド方向に基づいて、選択される機能項目に対応するアイコンを切り替えてもよい。例えば、テレビの制御インタフェースにおける各機能項目のアイコンは、所定順序で配置され、コントローラによって、ユーザーのタッチパッドに対する操作が右へのスライド操作であることを解析すると、制御インタフェースにおいて選択される機能項目のアイコンを１つ前の機能項目のアイコンに切り替えて、コントローラによって、ユーザーのタッチパッドに対する操作が左へのスライド操作であることを解析すると、制御インタフェースにおいて選択される機能項目のアイコンを１つ次の機能項目のアイコンに切り替える。
【０１０２】
スライド操作のスライド方向は、当該スライド操作の接触点が前後に触れたタッチポイントによって決定されてもよい。例えば、事前にタッチパッドにおける各タッチポイントに番号を付け、ユーザーの指がタッチポイントに触れる毎に、タッチパッドがコントローラに現在のタッチポイントの番号を含むタッチ信号を送信し、コントローラは、前後に受信したタッチ信号におけるタッチポイントの番号に基づいて、スライド方向を特定する。
【０１０３】
当該電子機器の作動状態がオンであり、かつ制御インタフェースを表示していない場合に、当該電子機器のグラフィカルユーザーインタフェースＧＵＩの表示状態を取得し、当該ＧＵＩ表示状態に基づいて、前記制御インタフェースに対応する機能項目リストを決定し、前記機能項目リストに基づいて、前記少なくとも１つの機能項目に対応するアイコンを表示し、前記少なくとも１つの機能項目は、前記機能項目リストに含まれる全部又は一部の機能項目である。
【０１０４】
電子機器がテレビであることを例として、テレビは、例えばデジタルテレビ番組インタフェース表示状態、ビデオ・オン・デマンドインタフェース表示状態、インターネットインタフェース表示状態やゲームインタフェース表示状態など、異なるＧＵＩ表示状態があってもよく、異なる表示状態に対応する制御インタフェースに含まれる機能項目も異なる可能性がある。テレビが制御インタフェースを表示する時に、例えば、テレビがオンであり、かつ制御インタフェースを表示していない場合に、テレビにおけるコントローラによって、ユーザーのタッチパッドに対するクリック操作を解析すると、まず、テレビの現在表示状態を特定し、当該表示状態に基づいて、該当する機能項目リストを決定し、そして、当該機能項目リストに基づいて、制御インタフェース及び当該制御インタフェースに含まれる少なくとも１つの機能項目に対応するアイコンを表示する。
【０１０５】
制御インタフェースを表示する際にテレビの表示画面への影響を最小限し、かつユーザーが観測及び操作しやすいために、制御インタフェースをテレビの背景画面の上に透明で表示するとともに、制御インタフェースに対応する機能項目リストにおけるアイコンの一部を集中して表示する。図７に示した制御インタフェース表示の模式的な図を参照して、テレビがオンになって、かつデジタルテレビ番組インタフェース表示状態であって、コントローラによりユーザーのタッチパッドに対するクリック操作を解析すると、デジタルテレビ番組インタフェース表示状態に対応する機能項目リストには含まれる６つの機能項目を検索し、これらの６つの機能項目は、それぞれ、リモコン探し機能項目、音量調節機能項目、チャンネル選択操作機能項目、入力源切替機能項目、３Ｄモード調節機能項目、明度調節機能項目であり、コントローラは、当該６つの機能項目に対応するアイコンを上記の順序で配置して表示し、また、同じ時間でそのうちの３つの機能項目のアイコンのみを表示し、図７において、コントローラは、テレビが制御インタフェースにおいて左から右へ音量調節機能項目、チャンネル選択操作機能項目、及び入力源切替機能を表示するように制御する。そのうち、真ん中に位置するチャンネル選択操作機能項目は、選択されるデフォルト機能項目であるため、そのマイコンの大きさが一番大きい。
【０１０６】
図７に示した状態の上で、ユーザーは、タッチパッドに対して左右にスライド操作を行うと、選択される機能項目を切り替えることができる。例えば、図８に示した機能項目の切替の模式的な図を参照して、コントローラにより、ユーザーの指でタッチパッドに対する左へのスライド操作を解析すると、表示されている各機能項目のアイコンの位置を調整し、すなわち、音量調節機能項目のアイコンを非表示し、チャンネル選択操作機能項目に対応するアイコンを最も左の側に移動し、入力源切替機能項目を選択される機能項目に切り替えるとともに、そのアイコンを真ん中に移動して表示し、同時に、最も右の側に、入力源切替機能項目の次の機能項目のアイコン、すなわち３Ｄモード調節機能項目のアイコンを表示する。
【０１０７】
ステップ５１４において、前記電子機器の作動状態がオンの状態で、制御インタフェースを表示し、かつ前記タッチ操作が第４操作である場合に、前記制御インタフェースにおいて選択される機能項目に対応する制御命令を実行する。
【０１０８】
選択される機能項目にサブメニューが存在する場合、当該機能項目に対応する制御命令は、電子機器に選択される機能項目のサブメニューを表示するように指令するための命令であり、選択される機能項目にサブメニューが存在しない場合、当該機能項目に対応する制御命令は、選択される機能項目に対応する機能に基づいて、電子機器を制御するための命令である。
【０１０９】
第４操作は、クリック操作であってもよい。テレビが制御インタフェースを表示し、かつコントローラによりユーザーのタッチパッドに対するタッチ操作がクリック操作であることを解析すると、制御インタフェースにおいて選択される機能項目に対応する制御命令を実行する。例えば、現在に選択されている機能アイコンは、リモコン探し機能項目のアイコンであり、当該機能項目にサブメニューが存在しないため、コントローラは、テレビがリモコンに無線信号を送信するように制御し、リモコンが無線信号を受信した後、ユーザーに当該リモコンの位置を通知するように通知音を鳴らす。或いは、現在に選択されている機能項目のアイコンが入力源切替機能項目であり、当該機能項目に入力源選択メニューが存在するため、コントローラは、テレビが入力源選択メニューを表示するように制御し、当該入力源選択メニューが複数の入力源の選択肢を含み、ユーザーは、タッチパッドに対して左右にスライドすることで該当する選択肢を選択するとともに、クリックすることである選択肢に対応する入力源を選定する。
【０１１０】
図９に示したサブメニュー表示の模式的な図のように、現在、制御インタフェースにおいて選択される機能項目は、入力源切替機能項目であり、コントローラによって、ユーザーのタッチパッドに対するクリック操作を解析すると、入力源切替機能項目のサブメニューに入って、当該サブメニューには５つの入力源のアイコンが含まれ、現在に選択されている入力源のアイコンが選択されていない入力源のアイコンよりも大きいように強調表示される。ユーザーは、左右にスライドする操作によって、選択されている入力源のアイコンを切り替えることができ、図８と異なるのは、サブメニューにおけるアイコンの位置が変わらず、選択されている入力源のアイコンのサイズと表示効果のみを変更することにある。
【０１１１】
以上のように、本例示的な実施例に示した機器制御方法によれば、コントローラによりタッチパッドから送信されたタッチ信号に従ってタッチパッドに対するタッチ操作を解析し、当該タッチ操作及び電子機器の作動状態に基づいて、電子機器を制御することによって、ユーザーは、タッチパッドに対する異なるタッチ操作により、異なる物理ボタンを探して押下せずに、電子機器を制御することを実現でき、従来技術におけるユーザーが物理ボタンを使用する時に誤操作しやすい問題を解決して、ユーザーの操作を簡素化しユーザーの体験を高めるという効果を達成する。
【０１１２】
図１２は、一例示的な実施例に係るコントローラを示すブロック図である。当該コントローラは、図１、図２、又は図４に示したタッチアセンブリに適用され、当該タッチアセンブリを含む電子機器を制御するのに用いられることが可能である。当該電子機器は、テレビまたはディスプレイであってもよい。当該コントローラは、タッチ信号受信モジュール６０１、解析モジュール６０２、第１状態取得モジュール６０３、及び制御モジュール６０４を含む。
【０１１３】
前記タッチ信号受信モジュール６０１は、前記タッチアセンブリにおけるタッチパッドから送信された、前記タッチパッドに対するタッチ操作に対応するタッチ信号を受信するためのものである。
【０１１４】
前記解析６０２は、前記タッチ信号に従って前記タッチ操作を解析するためのものである。
【０１１５】
前記第１状態取得モジュール６０３は、前記電子機器の作動状態を取得するためのものである。
【０１１６】
前記制御モジュール６０４は、前記タッチ操作及び前記電子機器の状態に基づいて、前記電子機器を制御するためのものである。
【０１１７】
以上のように、本例示的な実施例に示したコントローラによれば、コントローラによりタッチパッドから送信されたタッチ信号に従ってタッチパッドに対するタッチ操作を解析し、当該タッチ操作及び電子機器の作動状態に基づいて、電子機器を制御することによって、ユーザーは、タッチパッドに対する異なるタッチ操作により、異なる物理ボタンを探して押下せずに、電子機器を制御することを実現でき、従来技術におけるユーザーが物理ボタンを使用する時に誤操作しやすい問題を解決して、ユーザーの操作を簡素化しユーザーの体験を高めるという効果を達成する。
【０１１８】
図１３は、別の一例示的な実施例に係るコントローラを示すブロック図である。当該コントローラは、図１、図２、又は図４に示したタッチアセンブリに適用され、当該タッチアセンブリを含む電子機器を制御するのに用いられることが可能である。当該電子機器は、テレビまたはディスプレイであってもよい。当該コントローラは、タッチ信号受信モジュール７０１、解析モジュール７０２、第１状態取得モジュール７０３、及び制御モジュール７０４を含む。
【０１１９】
前記タッチ信号受信モジュール７０１は、前記タッチアセンブリにおけるタッチパッドから送信された、前記タッチパッドに対するタッチ操作に対応するタッチ信号を受信するためのものである。
【０１２０】
前記解析７０２は、前記タッチ信号に従って前記タッチ操作を解析するためのものである。
【０１２１】
前記第１状態取得モジュール７０３は、前記電子機器の作動状態を取得するためのものである。
【０１２２】
前記制御モジュール７０４は、前記タッチ操作及び前記電子機器の状態に基づいて、前記電子機器を制御するためのものである。
【０１２３】
前記制御モジュール７０４は、第１制御手段７０４ａ、及び第２制御手段７０４ｂを含む。
【０１２４】
前記第１制御手段７０４ａは、前記電子機器の作動状態が待機で、かつ前記タッチ操作が第１操作である場合に、前記電子機器をオンするように制御するためのものである。
【０１２５】
前記第２制御手段７０４ｂは、前記電子機器の作動状態がオンの状態で、かつ前記タッチ操作が第２操作である場合に、前記電子機器が待機になるように制御するためのものである。
【０１２６】
前記制御モジュール７０４は、切替手段７０４ｃを含む。
【０１２７】
前記切替手段７０４ｃは、前記電子機器が制御インタフェースを表示し、かつ前記タッチ操作が第３操作である場合に、少なくとも１つの機能項目に対応するアイコンが含まれる前記制御インタフェースにおいて、選択される機能項目に対応するアイコンを切り替えるためのものである。
【０１２８】
前記コントローラは、さらに、第２状態取得モジュール７０５、リスト決定モジュール７０６、及び表示モジュール７０７を含む。
【０１２９】
前記第２状態取得モジュール７０５は、前記電子機器の作動状態がオンの状態で、かつ制御インタフェースを表示していない場合に、前記電子機器のグラフィカルユーザーインタフェースＧＵＩの表示状態を取得するためのものである。
【０１３０】
前記リスト決定モジュール７０６は、前記ＧＵＩ表示状態に基づいて、前記制御インタフェースに対応する機能項目リストを決定するためのものである。
【０１３１】
前記表示モジュール７０７は、前記機能項目リストに基づいて、前記少なくとも１つの機能項目に対応するアイコンを表示するためのものである。前記少なくとも１つの機能項目は、前記機能項目リストに含まれる全部又は一部の機能項目である。
【０１３２】
前記制御モジュール７０４は、実行手段７０４ｄを含む。
【０１３３】
前記実行手段７０４ｄは、前記電子機器が制御インタフェースを表示し、前記タッチ操作が第４操作である場合に、前記制御インタフェースにおいて選択される機能項目に対応する機能を実行するためのものである。
【０１３４】
以上のように、本例示的な実施例に示したコントローラによれば、コントローラによりタッチパッドから送信されたタッチ信号に従ってタッチパッドに対するタッチ操作を解析し、当該タッチ操作及び電子機器の作動状態に基づいて、電子機器を制御することによって、ユーザーは、タッチパッドに対する異なるタッチ操作により、異なる物理ボタンを探して押下せずに、電子機器を制御することを実現でき、従来技術におけるユーザーが物理ボタンを使用する時に誤操作しやすい問題を解決して、ユーザーの操作を簡素化しユーザーの体験を高めるという効果を達成する。
【０１３５】
図１４は、一例示的な実施例に係る電子機器を示すブロック図である。当該電子操作は、テレビであってもよい。当該電子機器は、少なくても図１、図２、または図４の中のいずれかに示したタッチアセンブリ８００を含む。
【０１３６】
以上のように、本例示的な実施例に示した電子機器によれば、コントローラによりタッチパッドから送信されたタッチ信号に従ってタッチパッドに対するタッチ操作を解析し、当該タッチ操作及び電子機器の作動状態に基づいて、電子機器を制御することによって、ユーザーは、タッチパッドに対する異なるタッチ操作により、異なる物理ボタンを探して押下せずに、電子機器を制御することを実現でき、従来技術におけるユーザーが物理ボタンを使用する時に誤操作しやすい問題を解決して、ユーザーの操作を簡素化しユーザーの体験を高めるという効果を達成する。
【０１３７】
当業者は、本明細書に開示された発明の詳細を考慮し、実施することにより、本発明の他の実施方案を容易に想定することができる。本出願は、本発明のいかなる変形、用途、又は適応的な変化を含むことを目的としており、いかなる変形、用途、又は適応的な変化は、本発明の一般原理に基づき、且つ本開示において公開されていない本技術分野においての公知常識又は慣用技術手段を含む。明細書及び実施例は、例示的なものを開示しており、本発明の保護範囲と主旨は、特許請求の範囲に記述される。
【０１３８】
本発明は、上記において開示された構成又は図面に示した構造に限定されるものではなく、本発明の範囲内であれば、様々な補正又は変更を行うことができる。本発明の範囲は、特許請求の範囲により制限される。
【図１】
2016520947.tif 000003
【図２】
2016520947.tif 000004
【図３】
2016520947.tif 000005
【図４】
2016520947.tif 000006
【図５】
2016520947.tif 000007
【図６】
2016520947.tif 000008
【図７】
2016520947.tif 000009
【図８】
2016520947.tif 000010
【図９】
2016520947.tif 000011
【図１０】
2016520947.tif 000012
【図１１】
2016520947.tif 000013
【図１２】
2016520947.tif 000014
【図１３】
2016520947.tif 000015
【図１４】
2016520947.tif 000016
【手続補正書】
【提出日】平成26年12月22日(2014.12.22)
【手続補正１】
【補正対象書類名】明細書
【補正対象項目名】全文
【補正方法】変更
【補正の内容】
【発明の詳細な説明】
【相互参照】
【０００１】
本願は、出願番号がＣＮ２０１４１０２００７５６．０であって、出願日が２０１４年５月１３日である中国特許出願に基づき優先権を主張し、当該中国特許出願のすべての内容を本願に援用する。
【技術分野】
【０００２】
本開示は、機器制御分野に関し、特に、タッチアセンブリ、機器制御方法、コントローラ、電子機器、プログラム及び記録媒体に関する。
【背景技術】
【０００３】
電子技術の継続的な発展に伴い、インテリジェント電子機器がますます普及している。人々は、電子機器を使用する時に、最高の体験効果を得るために、基本的に、音量調節を行うなど、電子機器を制御する必要がある。
【０００４】
サイズの大きい電子機器は、通常、リモコンまたは電子機器に設けられた物理ボタンによって制御することができる。電子機器がテレビであることを例として、従来技術において、テレビは、通常に１つのリモコンを具備し、テレビに対するほぼ全ての操作がリモコンによって完成することができる。テレビのリモコンを紛失したり破損したりした場合、ユーザーは、テレビに設けられたいくつの物理ボタンによって、テレビを制御してもよく、例えば、通常、テレビには、電源ボタン、メニューボタン、音量＋ボタン、音量ーボタン、チャンネル＋ボタン、及びチャンネルーボタンの６つの物理ボタンが設けられ、リモコンを使用することができない場合、これらの６つの物理ボタンを使用してテレビを制御することができる。
【０００５】
本公開を実現する過程において、従来技術において少なくとも以下のような問題を抱えることを発見した。
【０００６】
比較的全面的な機能を実現するために、通常、電子機器に複数の物理ボタンを設ける必要があり、また、各物理ボタンの機能が互いに異なるため、ユーザーが物理ボタンを使用する時に、誤操作しやすく、例えば、テレビの物理ボタンを使用して音量を調節しようとする時に、チャンネルのボタンを間違えて押す可能性があり、よって、ユーザーの操作に不都合が生じて、ユーザーの使用感が高くない。
【発明の概要】
【０００７】
本開示の実施例は、従来技術における、ユーザーが物理ボタンを使用する時に誤操作しやすいことで、操作に不都合が生じる問題を解決するために、タッチアセンブリ、機器制御方法、コントローラ、電子機器、プログラム及び記録媒体を提供する。前記技術方案は、以下のように示す。
【０００８】
第１方面は、電子機器に用いられるタッチアセンブリを提供し、前記タッチアセンブリは、
自装置に対するタッチ操作を検出し、前記タッチ操作に対応するタッチ信号を送信するためのタッチパッドと、
前記タッチ信号を受信し、前記タッチ信号に従って前記タッチ操作を解析し、前記電子機器の作動状態を取得して、前記タッチ操作及び前記電子機器の作動状態に基づいて前記電子機器を制御するためのコントローラと、を備える。
【０００９】
前記コントローラは、前記電子機器の作動状態が待機で、かつ前記タッチ操作が第１操作である場合に、前記電子機器をオンさせるように制御し、
前記コントローラは、前記電子機器の作動状態がオンで、かつ前記タッチ操作が第２操作である場合に、前記電子機器を待機させるように制御することが好ましい。
【００１０】
前記コントローラは、前記電子機器の作動状態がオンで、制御インタフェースを表示し、かつ前記タッチ操作が第３操作である場合に、少なくとも１つの機能項目に対応するアイコンを含む前記制御インタフェースにおいて選択される機能項目に対応するアイコンを切り替えることが好ましい。
【００１１】
前記コントローラは、前記電子機器の作動状態がオンで、かつ制御インタフェースを表示していない場合に、前記電子機器のＧＵＩ表示状態を取得し、前記ＧＵＩ表示状態に基づいて、前記制御インタフェースに対応する機能項目リストを決定し、前記機能項目リストに基づいて、前記機能項目リストに含まれる全部または一部の機能項目である前記少なくとも１つの機能項目に対応するアイコンを表示することが好ましい。
【００１２】
前記コントローラは、前記電子機器の作動状態がオンで、制御インタフェースを表示し、かつ前記タッチ操作が第４操作である場合に、前記制御インタフェースにおいて選択される機能項目に対応する制御命令を実行することが好ましい。
【００１３】
第２方面は、上記第１方面に記載のタッチアセンブリに用いられる機器制御方法を提供し、前記機器制御方法は、
前記タッチアセンブリにおけるタッチパッドから送信された、前記タッチパッドに対するタッチ操作に対応するタッチ信号を受信するステップと、
前記タッチ信号に従って、前記タッチ操作を解析するステップと、
前記電子機器の作動状態を取得するステップと、
前記タッチ操作及び前記電子機器の作動状態に基づいて、前記電子機器を制御するステップと、を含む。
【００１４】
前記タッチ操作及び前記電子機器の作動状態に基づいて、前記電子機器を制御するステップは、
前記電子機器の作動状態が待機状態で、かつ前記タッチ操作が第１操作である場合に、前記電子機器をオンさせるように制御するステップと、
前記電子機器の作動状態がオン状態で、かつ前記タッチ操作が第２操作である場合に、前記電子機器を待機させるように制御するステップと、を含むことが好ましい。
【００１５】
前記タッチ操作及び前記電子機器の作動状態に基づいて、前記電子機器を制御するステップは、
前記電子機器の作動状態がオンで、制御インタフェースを表示し、かつ前記タッチ操作が第３操作である場合に、少なくとも１つの機能項目に対応するアイコンを含む前記制御インタフェースにおいて選択される機能項目に対応するアイコンを切替えるステップを含むことが好ましい。
【００１６】
前記方法は、
さらに、
前記電子機器の作動状態がオンで、かつ制御インタフェースを表示していない場合に、前記電子機器のＧＵＩ表示状態を取得するステップと、
前記ＧＵＩ表示状態に基づいて、前記制御インタフェースに対応する機能項目リストを決定するステップと、
前記機能項目リストに基づいて、前記機能項目リストに含まれる全部又は一部の機能項目である前記少なくとも１つの機能項目に対応するアイコンを表示するステップと、を含むことが好ましい。
【００１７】
前記タッチ操作及び前記電子機器の作動状態に基づいて、前記電子機器を制御するステップは、
前記電子機器の作動状態がオンで、制御インタフェースを表示し、前記タッチ操作が第４操作である場合に、前記制御インタフェースにおいて選択される機能項目に対応する制御命令を実行するステップを含むことが好ましい。
【００１８】
第３方面は、第１方面に記載のタッチアセンブリに用いられるコントローラを提供し、前記コントローラは、
前記タッチアセンブリにおけるタッチパッドから送信された、前記タッチパッドに対するタッチ操作に対応するタッチ信号を受信するためのタッチ信号受信モジュールと、
前記タッチ信号に基づいて、前記タッチ操作を解析するための解析モジュールと、
前記電子機器の作動状態を取得するための第１状態取得モジュールと、
前記タッチ操作及び前記電子機器の作動状態に基づいて、電子機器を制御するための制御モジュールと、を含む。
【００１９】
前記制御モジュールは、
前記電子機器の作動状態が待機状態で、かつ前記タッチ操作が第１操作である場合に、前記電子機器をオンさせるように制御するための第１制御手段と、
前記電子機器の作動状態がオン状態で、かつ前記タッチ操作が第２操作である場合に、前記電子機器を待機させるように制御するための第２制御手段と、を含むことが好ましい。
【００２０】
前記制御モジュールは、
前記電子機器が制御インタフェースを表示し、前記タッチ操作が第３操作である場合に、少なくとも１つの機能項目に対応するアイコンを含む前記制御インタフェースにおいて選択される機能項目に対応するアイコンを切り替えるための切替モジュールを含むことが好ましい。
【００２１】
前記コントローラは、
さらに、
前記電子機器がオン状態で、かつ制御インタフェースを表示していない場合に、前記電子機器のＧＵＩ表示状態を取得するための第２状態取得モジュールと、
前記ＧＵＩ表示状態に基づいて、前記制御インタフェースに対応する機能項目リストを決定するためのリスト決定モジュールと、
前記機能項目リストに基づいて、前記機能項目リストに含まれる全部または一部の機能項目である前記少なくとも１つの機能項目を含む前記制御インタフェースを表示するための表示モジュールと、含むことが好ましい。
【００２２】
前記制御モジュールは、
前記電子機器が制御インタフェースを表示し、前記タッチ操作が第４操作である場合に、前記制御インタフェースにおいて選択される機能項目に対応する制御命令を実行するための実行モジュールを含むことが好ましい。
【００２３】
第４方面は、少なくとも１つの、前記第1方面に記載のタッチアセンブリを含む電子機器を提供する。
第５の方面は、プロセッサに実行されることにより、前記機器制御方法を実現するプログラムを提供する。
第６の方面は、前記プログラムを記録した記録媒体を提供する。
【００２４】
本公開の実施例に係る技術方案は、以下のような有益な効果を有する。
コントローラによりタッチパッドから送信されたタッチ信号に従ってタッチパッドに対するタッチ操作を解析し、当該タッチ操作及び電子機器の作動状態に基づいて、電子機器を制御することによって、ユーザーは、タッチパッドに対する異なるタッチ操作により、異なる物理ボタンを探して押下せずに、電子機器を制御することを実現でき、従来技術におけるユーザーが物理ボタンを使用する時に誤操作しやすい問題を解決して、ユーザーの操作を簡素化しユーザーの体験を高めるという効果を達成する。
【００２５】
以上の一般的な記述及び以下の詳細な記述は、例示のものに過ぎず、本開示を限定するものではないと理解すべきである。
【図面の簡単な説明】
【００２６】
ここでの図面は、明細書の一部分として明細書全体を構成することにより、本開示に合致する実施例を例示するとともに、本開示の原理を解釈するためのものである。
【００２７】
【図１】一例示的な実施例に係るタッチアセンブリを示すブロック図である。
【図２】別の一例示的な実施例に係るタッチアセンブリを示すブロック図である。
【図３】別の一例示的な実施例に係るタッチパッドの設置を模式的に示す図である。
【図４】他の一例示的な実施例に係るタッチアセンブリを示すブロック図である。
【図５】他の一例示的な実施例に係るユーザーによる電源オンを模式的に示す図である。
【図６】他の一例示的な実施例に係るユーザーによる電源オフを模式的に示す図である。
【図７】他の一例示的な実施例に係る制御インタフェース表示を模式的に示す図である。
【図８】他の一例示的な実施例に係る機能項目の切替を模式的に示す図である。
【図９】他の一例示的な実施例に係るサブメニュー表示を模式的に示す図である。
【図１０】一例示的な実施例に係る機器制御方法を示すフローチャートである。
【図１１】別の一例示的な実施例に係る機器制御方法を示すフローチャートである。
【図１２】一例示的な実施例に係るコントローラを示すブロック図である。
【図１３】別の一例示的な実施例に係るコントローラを示すブロック図である。
【図１４】一例示的な実施例に係る電子機器を示すブロック図である。
【発明を実施するための形態】
【００２８】
ここで、図面に示された例示的な実施例を詳細に説明する。以下の内容において、図面を言及するとき、特に説明しない限り、異なる図面における同じ符号が同一または同等の要素を示す。以下の例示的な実施例に記載の実施の形態は、本発明と一致するあらゆる実施の形態を代表するわけではない。逆に、それらは、添付された特許請求の範囲に詳細に記載される、本発明の一部の方面と一致する装置及び方法の例にすぎない。
【００２９】
図１は、一例示的な実施例に係るタッチアセンブリを示すブロック図である。前記タッチアセンブリは、電子機器において、電子機器のパラメータを調整するのに用いられ、前記電子機器がテレビまたはディプレイであってもよい。前記タッチアセンブリは、タッチパッド１２０、及びコントローラ１４０を含む。
【００３０】
前記タッチパッド１２０は、当該タッチパッド１２０に対するタッチ操作を検出し、前記タッチ操作に対応するタッチ信号をコントローラ１４０に送信するためのものである。
【００３１】
なお、当該タッチパッドは、例えば電子機器の底部のような電子機器のディスプレイの外部に設けられる。
【００３２】
前記コントローラ１４０は、前記タッチ信号を受信し、前記タッチ信号に従って前記タッチ操作を解析し、電子機器の作動状態を取得して、前記タッチ操作及び前記電子機器の作動状態に基づいて、前記電子機器を制御するためのものである。
【００３３】
以上のように、本例示的な実施例に示したタッチアセンブリによれば、コントローラによりタッチパッドから送信されたタッチ信号に従ってタッチパッドに対するタッチ操作を解析し、当該タッチ操作及び電子機器の作動状態に基づいて、電子機器を制御することによって、ユーザーは、タッチパッドに対する異なるタッチ操作により、異なる物理ボタンを探して押下せずに、電子機器を制御することを実現でき、従来技術におけるユーザーが物理ボタンを使用する時に誤操作しやすい問題を解決して、ユーザーの操作を簡素化しユーザーの体験を高めるという効果を達成する。
【００３４】
図２は、別の一例示的な実施例に係るタッチアセンブリを示すブロック図である。前記タッチアセンブリは、電子機器において、電子機器のパラメータを調整するのに用いられ、前記電子機器がテレビまたはディプレイであってもよい。前記タッチアセンブリは、タッチパッド２２０、及びコントローラ２４０を含む。
【００３５】
前記タッチパッド２２０は、当該タッチパッド２２０に対するタッチ操作を検出し、前記タッチ操作に対応するタッチ信号をコントローラ２４０に送信するためのものである。
【００３６】
例えば、タッチパッドにおいて、複数のタッチポイントを設定してもよい。ユーザーは、指でタッチパッドにおけるタッチポイントに接触する時に静電容量の変化が発生し、誘導電流信号が生じて、タッチパッドは、生じた誘導電流信号に従って、対応するタッチ信号を生成してコントローラに送信する。当該タッチ信号には、ユーザーが現在に接触するタッチポイントの識別子が含まれ、当該タッチポイントの識別子は、例えば、タッチポイントの座標またはタッチポイントの番号であってもよい。
【００３７】
テレビを例として、図３に示したタッチパッドの設置の模式的な図のように、テレビの外観とユーザーの操作の利便性の両方を配慮するために、当該タッチパッドをテレビの底部の真ん中の位置に設ける。
【００３８】
前記コントローラ２４０は、前記タッチ信号を受信し、前記タッチ信号に従って前記タッチ操作を解析し、電子機器の作動状態を取得し、前記タッチ操作及び前記電子機器の作動状態に基づいて、前記電子機器を制御するためのものである。
【００３９】
コントローラは、タッチ信号を受信する時間、及び受信したタッチ信号に含まれるタッチポイントの識別子に基づいて、ユーザーがタッチパッドに対するタッチ操作を解析することができる。当該タッチ操作は、クリック操作、長押し操作やスライド操作などであってもよい。コントローラは、当該タッチ操作及び電子機器の作動状態に基づいて、電子機器に対して、起動、待機、メニュー選択、及び制御命令の実行などの操作を行うことができる。
【００４０】
前記コントローラ２４０は、前記電子機器の作動状態が待機で、かつ前記タッチ操作が第１操作である場合に、前記電子機器をオンするように制御するためのものである。
【００４１】
当該第１操作は、長押し操作であってもよく、テレビを例として、テレビに電源をいれて待機する場合、コントローラは、タッチパッドから送信されたタッチ信号に従って、ユーザーがタッチパッドを長押していることを解析すると、テレビがオンをオンするように制御することができる。
【００４２】
前記コントローラ２４０は、前記電子機器の作動状態がオンの状態で、かつ前記タッチ操作が第２操作である場合に、前記電子機器が待機になるように制御するためのものである。
【００４３】
当該第２操作は、長押し操作であってもよく、テレビがオンの場合、コントローラは、タッチパッドから送信されたタッチ信号に従ってユーザーがタッチパッドを長押していることを解析すると、テレビが待機状態になるように制御することができる。
【００４４】
前記コントローラ２４０は、前記電子機器の作動状態がオンの状態で、制御インタフェースを表示し、かつ前記タッチ操作が第３操作である場合に、少なくとも１つの機能項目に対応するアイコンが含まれる前記制御インタフェースにおいて、選択される機能項目に対応するアイコンを切り替えるためのものである。
【００４５】
当該第３操作は、スライド操作であってもよい。例えば、テレビの制御インタフェースにおいて、１つまたはそれ以上のアイコンを表示することが可能であり、各アイコンは、それぞれ、１つの機能項目に対応して、これらの機能項目には、リモコン探し機能項目、音量調節機能項目、チャンネル選択操作機能項目、入力源切替機能項目、３Ｄモード調整機能項目と、明度調整機能項目などを含む。テレビが制御インタフェースを表示する場合、コントローラによって、ユーザーのタッチパッドに対する操作がスライド操作であることを解析すると、現在に表示されている制御インタフェースにおいて、選択される機能項目のアイコンを切り替え、例えば、チャンネル選択操作機能項目を入力源切替機能項目に切り替える。
【００４６】
制御インタフェースに表示された機能項目に対応するアイコンは、１つの選択される機能項目に対応するアイコンを含み、選択される機能項目と選択されていない機能項目は、表示効果によって区別されることができる。例えば、選択される機能項目の大きさが最大になり、或いは、選択される機能項目がカラーアイコンになることに対して、選択されていない機能項目がモノクロアイコンであり、或いは、選択される機能項目のアイコンが強調表示される等により区別される。
【００４７】
コントローラは、制御インタフェースにおいて選択される機能項目に対応するアイコンを切り替える時、スライド操作のスライド方向を取得して、スライド方向に基づいて、選択される機能項目に対応するアイコンを切り替えてもよい。例えば、テレビの制御インタフェースにおける各機能項目のアイコンは、所定順序で配置され、コントローラによって、ユーザーのタッチパッドに対する操作が右へのスライド操作であることを解析すると、制御インタフェースにおいて選択される機能項目のアイコンを１つ前の機能項目のアイコンに切り替えて、コントローラによって、ユーザーのタッチパッドに対する操作が左へのスライド操作であることを解析すると、制御インタフェースにおいて選択される機能項目のアイコンを１つ次の機能項目のアイコンに切り替える。
【００４８】
スライド操作のスライド方向は、当該スライド操作の接触点が前後に触れたタッチポイントによって決定されてもよい。例えば、事前にタッチパッドにおける各タッチポイントに番号を付け、ユーザーの指がタッチポイントに触れる毎に、タッチパッドがコントローラに現在のタッチポイントの番号を含むタッチ信号を送信し、コントローラは、前後に受信したタッチ信号におけるタッチポイントの番号に基づいて、スライド方向を特定する。
【００４９】
前記コントローラ２４０は、前記電子機器の作動状態がオンの状態で、制御インタフェースを表示し、かつ前記タッチ操作が第４操作である場合に、前記制御インタフェースにおいて選択される機能項目に対応する制御命令を実行するためのものである。
【００５０】
選択される機能項目にサブメニューが存在する場合、当該機能項目に対応する制御命令は、電子機器に選択される機能項目のサブメニューを表示するように指令するための命令であり、選択される機能項目にサブメニューが存在しない場合、当該機能項目に対応する制御命令は、選択される機能項目に対応する機能に基づいて、電子機器を制御するための命令である。
【００５１】
第４操作は、クリック操作であってもよい。テレビが制御インタフェースを表示し、かつコントローラによりユーザーのタッチパッドに対するタッチ操作がクリック操作であることを解析すると、制御インタフェースにおいて選択される機能項目に対応する制御命令を実行する。例えば、現在に選択されている機能アイコンは、リモコン探し機能項目のアイコンであり、当該機能項目にサブメニューが存在しないため、コントローラは、テレビがリモコンに無線信号を送信するように制御し、リモコンが無線信号を受信した後、ユーザーに当該リモコンの位置を通知するように通知音を鳴らす。或いは、現在に選択されている機能項目のアイコンが入力源切替機能項目であり、当該機能項目に入力源選択メニューが存在するため、コントローラは、テレビが入力源選択メニューを表示するように制御し、当該入力源選択メニューが複数の入力源の選択肢を含み、ユーザーは、タッチパッドに対して左右にスライドすることで該当する選択肢を選択するとともに、クリックすることである選択肢に対応する入力源を選定する。
【００５２】
以上のように、本例示的な実施例に示したタッチアセンブリによれば、コントローラによりタッチパッドから送信されたタッチ信号に従ってタッチパッドに対するタッチ操作を解析し、当該タッチ操作及び電子機器の作動状態に基づいて、電子機器を制御することによって、ユーザーは、タッチパッドに対する異なるタッチ操作により、異なる物理ボタンを探して押下せずに、電子機器を制御することを実現でき、従来技術におけるユーザーが物理ボタンを使用する時に誤操作しやすい問題を解決して、ユーザーの操作を簡素化しユーザーの体験を高めるという効果を達成する。
【００５３】
図４は、他の一例示的な実施例に係るタッチアセンブリを模式的にブロック図である。前記タッチアセンブリは、電子機器において、電子機器のパラメータを調整するのに用いられ、前記電子機器がテレビまたはディプレイであってもよい。前記タッチアセンブリは、タッチパッド３２０、及びコントローラ３４０を含む。
【００５４】
前記タッチパッド３２０は、当該タッチパッド３２０に対するタッチ操作を検出し、前記タッチ操作に対応するタッチ信号をコントローラ３４０に送信するためのものである。
【００５５】
例えば、タッチパッドにおいて、複数のタッチポイントを設定してもよい。ユーザーは、指でタッチパッドにおけるタッチポイントに接触する時に静電容量の変化が発生し、誘導電流信号が生じて、タッチパッドは、生じた誘導電流信号に従って、対応するタッチ信号を生成してコントローラに送信する。当該タッチ信号には、ユーザーが現在に接触するタッチポイントの識別子が含まれ、当該タッチポイントの識別子は、例えば、タッチポイントの座標またはタッチポイントの番号であってもよい。
【００５６】
テレビを例として、図３に示したタッチパッドの設置の模式的な図のように、テレビの外観とユーザーの操作の利便性の両方を配慮するために、当該タッチパッドをテレビの底部の真ん中の位置に設ける。
【００５７】
前記コントローラ３４０は、前記タッチ信号を受信し、前記タッチ信号に従って前記タッチ操作を解析し、電子機器の作動状態を取得し、前記タッチ操作及び前記電子機器の作動状態に基づいて、前記電子機器を制御するためのものである。
【００５８】
コントローラは、タッチ信号を受信する時間、及び受信したタッチ信号に含まれるタッチポイントの識別子に基づいて、ユーザーがタッチパッドに対するタッチ操作を解析することができる。当該タッチ操作は、クリック操作、長押し操作やスライド操作などであってもよい。コントローラは、当該タッチ操作及び電子機器の作動状態に基づいて、電子機器に対して、起動、待機、メニュー選択、及び制御命令の実行などの操作を行うことができる。電子機器がスマートテレビであることを例として、当該コントローラは、スマートテレビにおけるＣＰＵである。
【００５９】
前記コントローラ３４０は、前記電子機器の作動状態が待機で、かつ前記タッチ操作が第１操作である場合に、前記電子機器をオンするように制御するためのものである。
【００６０】
当該第１操作は、長押し操作であってもよく、テレビを例として、テレビに電源をいれて待機する場合、コントローラは、タッチパッドから送信されたタッチ信号に従って、ユーザーがタッチパッドを長押していることを解析すると、テレビがオンをオンするように制御することができる。
【００６１】
例えば、図５に示したユーザーによる電源オンの模式的な図を参照して、テレビが待機状態の場合、コントローラは、ユーザーが指でタッチパッドとの接触を３秒以上維持することを解析すると、テレビをオンするように制御する。
【００６２】
前記コントローラ３４０は、前記電子機器の作動状態がオンの状態で、かつ前記タッチ操作が第２操作である場合に、前記電子機器が待機になるように制御するためのものである。
【００６３】
当該第２操作は、長押し操作であってもよく、テレビがオンの場合、コントローラは、タッチパッドから送信されたタッチ信号に従ってユーザーがタッチパッドを長押していることを解析すると、テレビが待機状態になるように制御することができる。
【００６４】
例えば、図６に示したユーザーによる電源オフの模式的な図を参照して、テレビがオン状態の場合、コントローラは、ユーザーが指でタッチパッドとの接触を３秒以上維持することを解析すると、テレビが待機状態になるように制御する。
【００６５】
前記コントローラ３４０は、前記電子機器の作動状態がオンの状態で、制御インタフェースを表示し、かつ前記タッチ操作が第３操作である場合に、少なくとも１つの機能項目に対応するアイコンが含まれる前記制御インタフェースにおいて、選択される機能項目に対応するアイコンを切り替えるためのものである。
【００６６】
当該第３操作は、スライド操作であってもよい。例えば、テレビの制御インタフェースにおいて、１つまたはそれ以上のアイコンを表示することが可能であり、各アイコンは、それぞれ、１つの機能項目に対応して、これらの機能項目には、リモコン探し機能項目、音量調節機能項目、チャンネル選択操作機能項目、入力源切替機能項目、３Ｄモード調整機能項目と、明度調整機能項目などを含む。テレビが制御インタフェースを表示する場合、コントローラによって、ユーザーのタッチパッドに対する操作がスライド操作であることを解析すると、現在に表示されている制御インタフェースにおいて、選択される機能項目のアイコンを切り替え、例えば、チャンネル選択操作機能項目を入力源切替機能項目に切り替える。
【００６７】
制御インタフェースに表示された機能項目に対応するアイコンは、１つの選択される機能項目に対応するアイコンを含み、選択される機能項目と選択されていない機能項目は、表示効果によって区別されることができる。例えば、選択される機能項目の大きさが最大になり、或いは、選択される機能項目がカラーアイコンになることに対して、選択されていない機能項目がモノクロアイコンであり、或いは、選択される機能項目のアイコンが強調表示される等により区別される。
【００６８】
コントローラは、制御インタフェースにおいて選択される機能項目に対応するアイコンを切り替える時、スライド操作のスライド方向を取得して、スライド方向に基づいて、選択される機能項目に対応するアイコンを切り替えてもよい。例えば、テレビの制御インタフェースにおける各機能項目のアイコンは、所定順序で配置され、コントローラによって、ユーザーのタッチパッドに対する操作が右へのスライド操作であることを解析すると、制御インタフェースにおいて選択される機能項目のアイコンを１つ前の機能項目のアイコンに切り替えて、コントローラによって、ユーザーのタッチパッドに対する操作が左へのスライド操作であることを解析すると、制御インタフェースにおいて選択される機能項目のアイコンを１つ次の機能項目のアイコンに切り替える。
【００６９】
スライド操作のスライド方向は、当該スライド操作の接触点が前後に触れたタッチポイントによって決定されてもよい。例えば、事前にタッチパッドにおける各タッチポイントに番号を付け、ユーザーの指がタッチポイントに触れる毎に、タッチパッドがコントローラに現在のタッチポイントの番号を含むタッチ信号を送信し、コントローラは、前後に受信したタッチ信号におけるタッチポイントの番号に基づいて、スライド方向を特定する。
【００７０】
前記コントローラ３４０は、前記電子機器の作動状態がオンであり、かつ制御インタフェースを表示していない場合に、前記電子機器のグラフィカルユーザーインタフェースＧＵＩ（ＧｒａｐｈｉｃａｌＵｓｅｒ Ｉｎｔｅｒｆａｃｅ）の表示状態を取得し、前記ＧＵＩ表示状態に基づいて、前記制御インタフェースに対応する機能項目リストを決定し、前記機能項目リストに基づいて、前記少なくとも１つの機能項目に対応するアイコンを表示するためのものであり、前記少なくとも１つの機能項目は、前記機能項目リストに含まれる全部又は一部の機能項目である。
【００７１】
電子機器がテレビであることを例として、テレビは、例えばデジタルテレビ番組インタフェース表示状態、ビデオ・オン・デマンドインタフェース表示状態、インターネットインタフェース表示状態やゲームインタフェース表示状態など、異なるＧＵＩ表示状態があってもよく、異なる表示状態に対応する制御インタフェースに含まれる機能項目も異なる可能性がある。テレビが制御インタフェースを表示する時に、例えば、テレビがオンであり、かつ制御インタフェースを表示していない場合に、テレビにおけるコントローラによって、ユーザーのタッチパッドに対するクリック操作を解析すると、まず、テレビの現在表示状態を特定し、当該表示状態に基づいて、該当する機能項目リストを決定し、そして、当該機能項目リストに基づいて、制御インタフェース及び当該制御インタフェースに含まれる少なくとも１つの機能項目に対応するアイコンを表示する。
【００７２】
制御インタフェースを表示する際にテレビの表示画面への影響を最小限し、かつユーザーが観測及び操作しやすいために、制御インタフェースをテレビの背景画面の上に透明で表示するとともに、制御インタフェースに対応する機能項目リストにおけるアイコンの一部を集中して表示する。図７に示した制御インタフェース表示の模式的な図を参照して、テレビがオンになって、かつデジタルテレビ番組インタフェース表示状態であって、コントローラによりユーザーのタッチパッドに対するクリック操作を解析すると、デジタルテレビ番組インタフェース表示状態に対応する機能項目リストには含まれる６つの機能項目を検索し、これらの６つの機能項目は、それぞれ、リモコン探し機能項目、音量調節機能項目、チャンネル選択操作機能項目、入力源切替機能項目、３Ｄモード調節機能項目、明度調節機能項目であり、コントローラは、当該６つの機能項目に対応するアイコンを上記の順序で配置して表示し、また、同じ時間でそのうちの３つの機能項目のアイコンのみを表示し、図７において、コントローラは、テレビが制御インタフェースにおいて左から右へ音量調節機能項目、チャンネル選択操作機能項目、及び入力源切替機能を表示するように制御する。そのうち、真ん中に位置するチャンネル選択操作機能項目は、選択されるデフォルト機能項目であるため、そのマイコンの大きさが一番大きい。
【００７３】
図７に示した状態の上で、ユーザーは、タッチパッドに対して左右にスライド操作を行うと、選択される機能項目を切り替えることができる。例えば、図８に示した機能項目の切替の模式的な図を参照して、コントローラにより、ユーザーの指でタッチパッドに対する左へのスライド操作を解析すると、表示されている各機能項目のアイコンの位置を調整し、すなわち、音量調節機能項目のアイコンを非表示し、チャンネル選択操作機能項目に対応するアイコンを最も左の側に移動し、入力源切替機能項目を選択される機能項目に切り替えるとともに、そのアイコンを真ん中に移動して表示し、同時に、最も右の側に、入力源切替機能項目の次の機能項目のアイコン、すなわち３Ｄモード調節機能項目のアイコンを表示する。
【００７４】
前記コントローラ３４０は、前記電子機器の作動状態がオンの状態で、制御インタフェースを表示し、かつ前記タッチ操作が第４操作である場合に、前記制御インタフェースにおいて選択される機能項目に対応する制御命令を実行するためのものである。
【００７５】
選択される機能項目にサブメニューが存在する場合、当該機能項目に対応する制御命令は、電子機器に選択される機能項目のサブメニューを表示するように指令するための命令であり、選択される機能項目にサブメニューが存在しない場合、当該機能項目に対応する制御命令は、選択される機能項目に対応する機能に基づいて、電子機器を制御するための命令である。
【００７６】
第４操作は、クリック操作であってもよい。テレビが制御インタフェースを表示し、かつコントローラによりユーザーのタッチパッドに対するタッチ操作がクリック操作であることを解析すると、制御インタフェースにおいて選択される機能項目に対応する制御命令を実行する。例えば、現在に選択されている機能アイコンは、リモコン探し機能項目のアイコンであり、当該機能項目にサブメニューが存在しないため、コントローラは、テレビがリモコンに無線信号を送信するように制御し、リモコンが無線信号を受信した後、ユーザーに当該リモコンの位置を通知するように通知音を鳴らす。或いは、現在に選択されている機能項目のアイコンが入力源切替機能項目であり、当該機能項目に入力源選択メニューが存在するため、コントローラは、テレビが入力源選択メニューを表示するように制御し、当該入力源選択メニューが複数の入力源の選択肢を含み、ユーザーは、タッチパッドに対して左右にスライドすることで該当する選択肢を選択するとともに、クリックすることである選択肢に対応する入力源を選定する。
【００７７】
図９に示したサブメニュー表示の模式的な図のように、現在、制御インタフェースにおいて選択される機能項目は、入力源切替機能項目であり、コントローラによって、ユーザーのタッチパッドに対するクリック操作を解析すると、入力源切替機能項目のサブメニューに入って、当該サブメニューには５つの入力源のアイコンが含まれ、現在に選択されている入力源のアイコンが選択されていない入力源のアイコンよりも大きいように強調表示される。ユーザーは、左右にスライドする操作によって、選択されている入力源のアイコンを切り替えることができ、図８と異なるのは、サブメニューにおけるアイコンの位置が変わらず、選択されている入力源のアイコンのサイズと表示効果のみを変更することにある。
【００７８】
以上のように、本例示的な実施例に示したタッチアセンブリによれば、コントローラによりタッチパッドから送信されたタッチ信号に従ってタッチパッドに対するタッチ操作を解析し、当該タッチ操作及び電子機器の作動状態に基づいて、電子機器を制御することによって、ユーザーは、タッチパッドに対する異なるタッチ操作により、異なる物理ボタンを探して押下せずに、電子機器を制御することを実現でき、従来技術におけるユーザーが物理ボタンを使用する時に誤操作しやすい問題を解決して、ユーザーの操作を簡素化しユーザーの体験を高めるという効果を達成する。
【００７９】
図１０は、一例示的な実施例に係る機器制御方法を示すフローチャートである。当該機器制御方法は、図１、図２、又は図４に示したタッチアセンブリに適用され、当該タッチアセンブリを含む電子機器を制御するのに用いられることが可能である。当該電子機器は、テレビまたはディスプレイであってもよい。当該機器制御方法は、次のようなステップを含む。
【００８０】
ステップ４０２において、当該タッチアセンブリにおけるタッチパッドから送信された、当該タッチパッドに対するタッチ操作に対応するタッチ信号を受信する。
【００８１】
ステップ４０４において、当該タッチ信号に従って当該タッチ操作を解析する。
【００８２】
ステップ４０６において、当該電子機器の作動状態を取得する。
【００８３】
ステップ４０８において、タッチ操作及び電子機器の状態に基づいて、当該電子機器を制御する。
【００８４】
以上のように、本例示的な実施例に示した機器制御方法によれば、コントローラによりタッチパッドから送信されたタッチ信号に従ってタッチパッドに対するタッチ操作を解析し、当該タッチ操作及び電子機器の作動状態に基づいて、電子機器を制御することによって、ユーザーは、タッチパッドに対する異なるタッチ操作により、異なる物理ボタンを探して押下せずに、電子機器を制御することを実現でき、従来技術におけるユーザーが物理ボタンを使用する時に誤操作しやすい問題を解決して、ユーザーの操作を簡素化しユーザーの体験を高めるという効果を達成する。
【００８５】
図１１は、別の一例示的な実施例に係る機器制御方法を示すフローチャートである。当該機器制御方法は、図１、図２、又は図４に示したタッチアセンブリに適用され、当該タッチアセンブリを含む電子機器を制御するのに用いられることが可能である。当該電子機器は、テレビまたはディスプレイであってもよい。当該機器制御方法は、次のようなステップを含む。
【００８６】
ステップ５０２において、当該タッチアセンブリにおけるタッチパッドから送信された、当該タッチパッドに対するタッチ操作に対応するタッチ信号を受信する。
【００８７】
例えば、タッチパッドにおいて、複数のタッチポイントを設定してもよい。ユーザーは、指でタッチパッドにおけるタッチポイントに接触する時に静電容量の変化が発生し、誘導電流信号が生じて、タッチパッドは、生じた誘導電流信号に従って、対応するタッチ信号を生成してコントローラに送信する。当該タッチ信号には、ユーザーが現在に接触するタッチポイントの識別子が含まれ、当該タッチポイントの識別子は、例えば、タッチポイントの座標またはタッチポイントの番号であってもよい。
【００８８】
ステップ５０４において、当該タッチ信号に従って当該タッチ操作を解析する。
【００８９】
コントローラは、タッチ信号を受信する時間、及び受信したタッチ信号に含まれるタッチポイントの識別子に基づいて、ユーザーがタッチパッドに対するタッチ操作を解析することができる。当該タッチ操作は、クリック操作、長押し操作やスライド操作などであってもよい。コントローラは、当該タッチ操作及び電子機器の作動状態に基づいて、電子機器に対して、起動、待機、メニュー選択、及び制御命令の実行などの操作を行うことができる。
【００９０】
ステップ５０６において、当該電子機器の作動状態を取得する。
【００９１】
電子機器の作動状態は、オン、待機、及び制御インタフェース表示などを含む。
【００９２】
ステップ５０８において、当該電子機器の作動状態が待機で、かつ当該タッチ操作が第１操作である場合に、前記電子機器をオンするように制御する。
【００９３】
当該第１操作は、長押し操作であってもよく、テレビを例として、テレビに電源をいれて待機する場合、コントローラは、タッチパッドから送信されたタッチ信号に従って、ユーザーがタッチパッドを長押していることを解析すると、テレビがオンをオンするように制御することができる。
【００９４】
例えば、図５に示したユーザーによる電源オンの模式的な図を参照して、テレビが待機状態の場合、コントローラは、ユーザーが指でタッチパッドとの接触を３秒以上維持することを解析すると、テレビをオンするように制御する。
【００９５】
ステップ５１０において、当該電子機器の作動状態がオンの状態で、かつ当該タッチ操作が第２操作である場合に、当該電子機器が待機になるように制御する。
【００９６】
当該第２操作は、長押し操作であってもよく、テレビがオンの場合、コントローラは、タッチパッドから送信されたタッチ信号に従ってユーザーがタッチパッドを長押していることを解析すると、テレビが待機状態になるように制御することができる。
【００９７】
例えば、図６に示したユーザーによる電源オフの模式的な図を参照して、テレビがオン状態の場合、コントローラは、ユーザーが指でタッチパッドとの接触を３秒以上維持することを解析すると、テレビが待機状態になるように制御する。
【００９８】
ステップ５１２において、当該電子機器の作動状態がオンの状態で、制御インタフェースを表示し、かつ当該タッチ操作が第３操作である場合に、少なくとも１つの機能項目に対応するアイコンが含まれる前記制御インタフェースにおいて、選択される機能項目に対応するアイコンを切り替える。
【００９９】
当該第３操作は、スライド操作であってもよい。例えば、テレビの制御インタフェースにおいて、１つまたはそれ以上のアイコンを表示することが可能であり、各アイコンは、それぞれ、１つの機能項目に対応して、これらの機能項目には、リモコン探し機能項目、音量調節機能項目、チャンネル選択操作機能項目、入力源切替機能項目、３Ｄモード調整機能項目と、明度調整機能項目などを含む。テレビが制御インタフェースを表示する場合、コントローラによって、ユーザーのタッチパッドに対する操作がスライド操作であることを解析すると、現在に表示されている制御インタフェースにおいて、選択される機能項目のアイコンを切り替え、例えば、チャンネル選択操作機能項目を入力源切替機能項目に切り替える。
【０１００】
制御インタフェースに表示された機能項目に対応するアイコンは、１つの選択される機能項目に対応するアイコンを含み、選択される機能項目と選択されていない機能項目は、表示効果によって区別されることができる。例えば、選択される機能項目の大きさが最大になり、或いは、選択される機能項目がカラーアイコンになることに対して、選択されていない機能項目がモノクロアイコンであり、或いは、選択される機能項目のアイコンが強調表示される等により区別される。
【０１０１】
コントローラは、制御インタフェースにおいて選択される機能項目に対応するアイコンを切り替える時、スライド操作のスライド方向を取得して、スライド方向に基づいて、選択される機能項目に対応するアイコンを切り替えてもよい。例えば、テレビの制御インタフェースにおける各機能項目のアイコンは、所定順序で配置され、コントローラによって、ユーザーのタッチパッドに対する操作が右へのスライド操作であることを解析すると、制御インタフェースにおいて選択される機能項目のアイコンを１つ前の機能項目のアイコンに切り替えて、コントローラによって、ユーザーのタッチパッドに対する操作が左へのスライド操作であることを解析すると、制御インタフェースにおいて選択される機能項目のアイコンを１つ次の機能項目のアイコンに切り替える。
【０１０２】
スライド操作のスライド方向は、当該スライド操作の接触点が前後に触れたタッチポイントによって決定されてもよい。例えば、事前にタッチパッドにおける各タッチポイントに番号を付け、ユーザーの指がタッチポイントに触れる毎に、タッチパッドがコントローラに現在のタッチポイントの番号を含むタッチ信号を送信し、コントローラは、前後に受信したタッチ信号におけるタッチポイントの番号に基づいて、スライド方向を特定する。
【０１０３】
当該電子機器の作動状態がオンであり、かつ制御インタフェースを表示していない場合に、当該電子機器のグラフィカルユーザーインタフェースＧＵＩの表示状態を取得し、当該ＧＵＩ表示状態に基づいて、前記制御インタフェースに対応する機能項目リストを決定し、前記機能項目リストに基づいて、前記少なくとも１つの機能項目に対応するアイコンを表示し、前記少なくとも１つの機能項目は、前記機能項目リストに含まれる全部又は一部の機能項目である。
【０１０４】
電子機器がテレビであることを例として、テレビは、例えばデジタルテレビ番組インタフェース表示状態、ビデオ・オン・デマンドインタフェース表示状態、インターネットインタフェース表示状態やゲームインタフェース表示状態など、異なるＧＵＩ表示状態があってもよく、異なる表示状態に対応する制御インタフェースに含まれる機能項目も異なる可能性がある。テレビが制御インタフェースを表示する時に、例えば、テレビがオンであり、かつ制御インタフェースを表示していない場合に、テレビにおけるコントローラによって、ユーザーのタッチパッドに対するクリック操作を解析すると、まず、テレビの現在表示状態を特定し、当該表示状態に基づいて、該当する機能項目リストを決定し、そして、当該機能項目リストに基づいて、制御インタフェース及び当該制御インタフェースに含まれる少なくとも１つの機能項目に対応するアイコンを表示する。
【０１０５】
制御インタフェースを表示する際にテレビの表示画面への影響を最小限し、かつユーザーが観測及び操作しやすいために、制御インタフェースをテレビの背景画面の上に透明で表示するとともに、制御インタフェースに対応する機能項目リストにおけるアイコンの一部を集中して表示する。図７に示した制御インタフェース表示の模式的な図を参照して、テレビがオンになって、かつデジタルテレビ番組インタフェース表示状態であって、コントローラによりユーザーのタッチパッドに対するクリック操作を解析すると、デジタルテレビ番組インタフェース表示状態に対応する機能項目リストには含まれる６つの機能項目を検索し、これらの６つの機能項目は、それぞれ、リモコン探し機能項目、音量調節機能項目、チャンネル選択操作機能項目、入力源切替機能項目、３Ｄモード調節機能項目、明度調節機能項目であり、コントローラは、当該６つの機能項目に対応するアイコンを上記の順序で配置して表示し、また、同じ時間でそのうちの３つの機能項目のアイコンのみを表示し、図７において、コントローラは、テレビが制御インタフェースにおいて左から右へ音量調節機能項目、チャンネル選択操作機能項目、及び入力源切替機能を表示するように制御する。そのうち、真ん中に位置するチャンネル選択操作機能項目は、選択されるデフォルト機能項目であるため、そのマイコンの大きさが一番大きい。
【０１０６】
図７に示した状態の上で、ユーザーは、タッチパッドに対して左右にスライド操作を行うと、選択される機能項目を切り替えることができる。例えば、図８に示した機能項目の切替の模式的な図を参照して、コントローラにより、ユーザーの指でタッチパッドに対する左へのスライド操作を解析すると、表示されている各機能項目のアイコンの位置を調整し、すなわち、音量調節機能項目のアイコンを非表示し、チャンネル選択操作機能項目に対応するアイコンを最も左の側に移動し、入力源切替機能項目を選択される機能項目に切り替えるとともに、そのアイコンを真ん中に移動して表示し、同時に、最も右の側に、入力源切替機能項目の次の機能項目のアイコン、すなわち３Ｄモード調節機能項目のアイコンを表示する。
【０１０７】
ステップ５１４において、前記電子機器の作動状態がオンの状態で、制御インタフェースを表示し、かつ前記タッチ操作が第４操作である場合に、前記制御インタフェースにおいて選択される機能項目に対応する制御命令を実行する。
【０１０８】
選択される機能項目にサブメニューが存在する場合、当該機能項目に対応する制御命令は、電子機器に選択される機能項目のサブメニューを表示するように指令するための命令であり、選択される機能項目にサブメニューが存在しない場合、当該機能項目に対応する制御命令は、選択される機能項目に対応する機能に基づいて、電子機器を制御するための命令である。
【０１０９】
第４操作は、クリック操作であってもよい。テレビが制御インタフェースを表示し、かつコントローラによりユーザーのタッチパッドに対するタッチ操作がクリック操作であることを解析すると、制御インタフェースにおいて選択される機能項目に対応する制御命令を実行する。例えば、現在に選択されている機能アイコンは、リモコン探し機能項目のアイコンであり、当該機能項目にサブメニューが存在しないため、コントローラは、テレビがリモコンに無線信号を送信するように制御し、リモコンが無線信号を受信した後、ユーザーに当該リモコンの位置を通知するように通知音を鳴らす。或いは、現在に選択されている機能項目のアイコンが入力源切替機能項目であり、当該機能項目に入力源選択メニューが存在するため、コントローラは、テレビが入力源選択メニューを表示するように制御し、当該入力源選択メニューが複数の入力源の選択肢を含み、ユーザーは、タッチパッドに対して左右にスライドすることで該当する選択肢を選択するとともに、クリックすることである選択肢に対応する入力源を選定する。
【０１１０】
図９に示したサブメニュー表示の模式的な図のように、現在、制御インタフェースにおいて選択される機能項目は、入力源切替機能項目であり、コントローラによって、ユーザーのタッチパッドに対するクリック操作を解析すると、入力源切替機能項目のサブメニューに入って、当該サブメニューには５つの入力源のアイコンが含まれ、現在に選択されている入力源のアイコンが選択されていない入力源のアイコンよりも大きいように強調表示される。ユーザーは、左右にスライドする操作によって、選択されている入力源のアイコンを切り替えることができ、図８と異なるのは、サブメニューにおけるアイコンの位置が変わらず、選択されている入力源のアイコンのサイズと表示効果のみを変更することにある。
【０１１１】
以上のように、本例示的な実施例に示した機器制御方法によれば、コントローラによりタッチパッドから送信されたタッチ信号に従ってタッチパッドに対するタッチ操作を解析し、当該タッチ操作及び電子機器の作動状態に基づいて、電子機器を制御することによって、ユーザーは、タッチパッドに対する異なるタッチ操作により、異なる物理ボタンを探して押下せずに、電子機器を制御することを実現でき、従来技術におけるユーザーが物理ボタンを使用する時に誤操作しやすい問題を解決して、ユーザーの操作を簡素化しユーザーの体験を高めるという効果を達成する。
【０１１２】
図１２は、一例示的な実施例に係るコントローラを示すブロック図である。当該コントローラは、図１、図２、又は図４に示したタッチアセンブリに適用され、当該タッチアセンブリを含む電子機器を制御するのに用いられることが可能である。当該電子機器は、テレビまたはディスプレイであってもよい。当該コントローラは、タッチ信号受信モジュール６０１、解析モジュール６０２、第１状態取得モジュール６０３、及び制御モジュール６０４を含む。
【０１１３】
前記タッチ信号受信モジュール６０１は、前記タッチアセンブリにおけるタッチパッドから送信された、前記タッチパッドに対するタッチ操作に対応するタッチ信号を受信するためのものである。
【０１１４】
前記解析６０２は、前記タッチ信号に従って前記タッチ操作を解析するためのものである。
【０１１５】
前記第１状態取得モジュール６０３は、前記電子機器の作動状態を取得するためのものである。
【０１１６】
前記制御モジュール６０４は、前記タッチ操作及び前記電子機器の状態に基づいて、前記電子機器を制御するためのものである。
【０１１７】
以上のように、本例示的な実施例に示したコントローラによれば、コントローラによりタッチパッドから送信されたタッチ信号に従ってタッチパッドに対するタッチ操作を解析し、当該タッチ操作及び電子機器の作動状態に基づいて、電子機器を制御することによって、ユーザーは、タッチパッドに対する異なるタッチ操作により、異なる物理ボタンを探して押下せずに、電子機器を制御することを実現でき、従来技術におけるユーザーが物理ボタンを使用する時に誤操作しやすい問題を解決して、ユーザーの操作を簡素化しユーザーの体験を高めるという効果を達成する。
【０１１８】
図１３は、別の一例示的な実施例に係るコントローラを示すブロック図である。当該コントローラは、図１、図２、又は図４に示したタッチアセンブリに適用され、当該タッチアセンブリを含む電子機器を制御するのに用いられることが可能である。当該電子機器は、テレビまたはディスプレイであってもよい。当該コントローラは、タッチ信号受信モジュール７０１、解析モジュール７０２、第１状態取得モジュール７０３、及び制御モジュール７０４を含む。
【０１１９】
前記タッチ信号受信モジュール７０１は、前記タッチアセンブリにおけるタッチパッドから送信された、前記タッチパッドに対するタッチ操作に対応するタッチ信号を受信するためのものである。
【０１２０】
前記解析７０２は、前記タッチ信号に従って前記タッチ操作を解析するためのものである。
【０１２１】
前記第１状態取得モジュール７０３は、前記電子機器の作動状態を取得するためのものである。
【０１２２】
前記制御モジュール７０４は、前記タッチ操作及び前記電子機器の状態に基づいて、前記電子機器を制御するためのものである。
【０１２３】
前記制御モジュール７０４は、第１制御手段７０４ａ、及び第２制御手段７０４ｂを含む。
【０１２４】
前記第１制御手段７０４ａは、前記電子機器の作動状態が待機で、かつ前記タッチ操作が第１操作である場合に、前記電子機器をオンするように制御するためのものである。
【０１２５】
前記第２制御手段７０４ｂは、前記電子機器の作動状態がオンの状態で、かつ前記タッチ操作が第２操作である場合に、前記電子機器が待機になるように制御するためのものである。
【０１２６】
前記制御モジュール７０４は、切替手段７０４ｃを含む。
【０１２７】
前記切替手段７０４ｃは、前記電子機器が制御インタフェースを表示し、かつ前記タッチ操作が第３操作である場合に、少なくとも１つの機能項目に対応するアイコンが含まれる前記制御インタフェースにおいて、選択される機能項目に対応するアイコンを切り替えるためのものである。
【０１２８】
前記コントローラは、さらに、第２状態取得モジュール７０５、リスト決定モジュール７０６、及び表示モジュール７０７を含む。
【０１２９】
前記第２状態取得モジュール７０５は、前記電子機器の作動状態がオンの状態で、かつ制御インタフェースを表示していない場合に、前記電子機器のグラフィカルユーザーインタフェースＧＵＩの表示状態を取得するためのものである。
【０１３０】
前記リスト決定モジュール７０６は、前記ＧＵＩ表示状態に基づいて、前記制御インタフェースに対応する機能項目リストを決定するためのものである。
【０１３１】
前記表示モジュール７０７は、前記機能項目リストに基づいて、前記少なくとも１つの機能項目に対応するアイコンを表示するためのものである。前記少なくとも１つの機能項目は、前記機能項目リストに含まれる全部又は一部の機能項目である。
【０１３２】
前記制御モジュール７０４は、実行手段７０４ｄを含む。
【０１３３】
前記実行手段７０４ｄは、前記電子機器が制御インタフェースを表示し、前記タッチ操作が第４操作である場合に、前記制御インタフェースにおいて選択される機能項目に対応する機能を実行するためのものである。
【０１３４】
以上のように、本例示的な実施例に示したコントローラによれば、コントローラによりタッチパッドから送信されたタッチ信号に従ってタッチパッドに対するタッチ操作を解析し、当該タッチ操作及び電子機器の作動状態に基づいて、電子機器を制御することによって、ユーザーは、タッチパッドに対する異なるタッチ操作により、異なる物理ボタンを探して押下せずに、電子機器を制御することを実現でき、従来技術におけるユーザーが物理ボタンを使用する時に誤操作しやすい問題を解決して、ユーザーの操作を簡素化しユーザーの体験を高めるという効果を達成する。
【０１３５】
図１４は、一例示的な実施例に係る電子機器を示すブロック図である。当該電子操作は、テレビであってもよい。当該電子機器は、少なくても図１、図２、または図４の中のいずれかに示したタッチアセンブリ８００を含む。
【０１３６】
以上のように、本例示的な実施例に示した電子機器によれば、コントローラによりタッチパッドから送信されたタッチ信号に従ってタッチパッドに対するタッチ操作を解析し、当該タッチ操作及び電子機器の作動状態に基づいて、電子機器を制御することによって、ユーザーは、タッチパッドに対する異なるタッチ操作により、異なる物理ボタンを探して押下せずに、電子機器を制御することを実現でき、従来技術におけるユーザーが物理ボタンを使用する時に誤操作しやすい問題を解決して、ユーザーの操作を簡素化しユーザーの体験を高めるという効果を達成する。
【０１３７】
当業者は、本明細書に開示された発明の詳細を考慮し、実施することにより、本発明の他の実施方案を容易に想定することができる。本出願は、本発明のいかなる変形、用途、又は適応的な変化を含むことを目的としており、いかなる変形、用途、又は適応的な変化は、本発明の一般原理に基づき、且つ本開示において公開されていない本技術分野においての公知常識又は慣用技術手段を含む。明細書及び実施例は、例示的なものを開示しており、本発明の保護範囲と主旨は、特許請求の範囲に記述される。
【０１３８】
本発明は、上記において開示された構成又は図面に示した構造に限定されるものではなく、本発明の範囲内であれば、様々な補正又は変更を行うことができる。本発明の範囲は、特許請求の範囲により制限される。
【手続補正２】
【補正対象書類名】特許請求の範囲
【補正対象項目名】全文
【補正方法】変更
【補正の内容】
【特許請求の範囲】
【請求項１】
電子機器に用いられるタッチアセンブリであって、
自装置に対するタッチ操作を検出し、前記タッチ操作に対応するタッチ信号を送信するためのタッチパッドと、
前記タッチ信号を受信し、前記タッチ信号に従って前記タッチ操作を解析し、前記電子機器の作動状態を取得して、前記タッチ操作及び前記電子機器の作動状態に基づいて前記電子機器を制御するためのコントローラと、を備える
ことを特徴とするタッチアセンブリ。
【請求項２】
前記コントローラは、前記電子機器の作動状態が待機で、かつ前記タッチ操作が第１操作である場合に、前記電子機器をオンさせるように制御し、
前記コントローラは、前記電子機器の作動状態がオンで、かつ前記タッチ操作が第２操作である場合に、前記電子機器を待機させるように制御する
ことを特徴とする請求項１に記載のタッチアセンブリ。
【請求項３】
前記コントローラは、前記電子機器の作動状態がオンで、制御インタフェースを表示し、かつ前記タッチ操作が第３操作である場合に、少なくとも１つの機能項目に対応するアイコンを含む前記制御インタフェースにおいて選択される機能項目に対応するアイコンを切り替える
ことを特徴とする請求項１に記載のタッチアセンブリ。
【請求項４】
前記コントローラは、前記電子機器の作動状態がオンで、かつ制御インタフェースを表示していない場合に、前記電子機器のＧＵＩ表示状態を取得し、前記ＧＵＩ表示状態に基づいて、前記制御インタフェースに対応する機能項目リストを決定し、前記機能項目リストに基づいて、前記機能項目リストに含まれる全部または一部の機能項目である前記少なくとも１つの機能項目に対応するアイコンを表示する
ことを特徴とする請求項３に記載のタッチアセンブリ。
【請求項５】
前記コントローラは、前記電子機器の作動状態がオンで、制御インタフェースを表示し、かつ前記タッチ操作が第４操作である場合に、前記制御インタフェースにおいて選択される機能項目に対応する制御命令を実行する
ことを特徴とする請求項１に記載のタッチアセンブリ。
【請求項６】
請求項１〜５の何れか１項に記載のタッチアセンブリに用いられる機器制御方法であって、
前記タッチアセンブリにおけるタッチパッドから送信された、前記タッチパッドに対するタッチ操作に対応するタッチ信号を受信するステップと、
前記タッチ信号に従って、前記タッチ操作を解析するステップと、
前記電子機器の作動状態を取得するステップと、
前記タッチ操作及び前記電子機器の作動状態に基づいて、前記電子機器を制御するステップと、を含む
ことを特徴とする機器制御方法。
【請求項７】
前記タッチ操作及び前記電子機器の作動状態に基づいて、前記電子機器を制御するステップは、
前記電子機器の作動状態が待機状態で、かつ前記タッチ操作が第１操作である場合に、前記電子機器をオンさせるように制御するステップと、
前記電子機器の作動状態がオン状態で、かつ前記タッチ操作が第２操作である場合に、前記電子機器を待機させるように制御するステップと、を含む
ことを特徴とする請求項６に記載の機器制御方法。
【請求項８】
前記タッチ操作及び前記電子機器の作動状態に基づいて、前記電子機器を制御するステップは、
前記電子機器の作動状態がオンで、制御インタフェースを表示し、かつ前記タッチ操作が第３操作である場合に、少なくとも１つの機能項目に対応するアイコンを含む前記制御インタフェースにおいて選択される機能項目に対応するアイコンを切替えるステップを含む
ことを特徴とする請求項６に記載の機器制御方法。
【請求項９】
さらに、
前記電子機器の作動状態がオンで、かつ制御インタフェースを表示していない場合に、前記電子機器のＧＵＩ表示状態を取得するステップと、
前記ＧＵＩ表示状態に基づいて、前記制御インタフェースに対応する機能項目リストを決定するステップと、
前記機能項目リストに基づいて、前記機能項目リストに含まれる全部又は一部の機能項目である前記少なくとも１つの機能項目に対応するアイコンを表示するステップと、を含む
ことを特徴とする請求項８に記載の機器制御方法。
【請求項１０】
前記タッチ操作及び前記電子機器の作動状態に基づいて、前記電子機器を制御するステップは、
前記電子機器の作動状態がオンで、制御インタフェースを表示し、前記タッチ操作が第４操作である場合に、前記制御インタフェースにおいて選択される機能項目に対応する制御命令を実行するステップを含む
ことを特徴とする請求項６に記載の機器制御方法。
【請求項１１】
請求項１〜５の何れか１項に記載のタッチアセンブリに用いられるコントローラであって、
前記タッチアセンブリにおけるタッチパッドから送信された、前記タッチパッドに対するタッチ操作に対応するタッチ信号を受信するためのタッチ信号受信モジュールと、
前記タッチ信号に基づいて、前記タッチ操作を解析するための解析モジュールと、
前記電子機器の作動状態を取得するための第１状態取得モジュールと、
前記タッチ操作及び前記電子機器の作動状態に基づいて、電子機器を制御するための制御モジュールと、を含む
ことを特徴とするコントローラ。
【請求項１２】
前記制御モジュールは、
前記電子機器の作動状態が待機状態で、かつ前記タッチ操作が第１操作である場合に、前記電子機器をオンさせるように制御するための第１制御手段と、
前記電子機器の作動状態がオン状態で、かつ前記タッチ操作が第２操作である場合に、前記電子機器を待機させるように制御するための第２制御手段と、を含む
ことを特徴とする請求項１１に記載のコントローラ。
【請求項１３】
前記制御モジュールは、
前記電子機器が制御インタフェースを表示し、前記タッチ操作が第３操作である場合に、少なくとも１つの機能項目に対応するアイコンを含む前記制御インタフェースにおいて選択される機能項目に対応するアイコンを切り替えるための切替モジュールを含む
ことを特徴とする請求項１１に記載のコントローラ。
【請求項１４】
さらに、
前記電子機器がオン状態で、かつ制御インタフェースを表示していない場合に、前記電子機器のＧＵＩ表示状態を取得するための第２状態取得モジュールと、
前記ＧＵＩ表示状態に基づいて、前記制御インタフェースに対応する機能項目リストを決定するためのリスト決定モジュールと、
前記機能項目リストに基づいて、前記機能項目リストに含まれる全部または一部の機能項目である前記少なくとも１つの機能項目を含む前記制御インタフェースを表示するための表示モジュールと、含む
ことを特徴とする請求項１３に記載のコントローラ。
【請求項１５】
前記制御モジュールは、
前記電子機器が制御インタフェースを表示し、前記タッチ操作が第４操作である場合に、前記制御インタフェースにおいて選択される機能項目に対応する制御命令を実行するための実行モジュールを含む
ことを特徴とする請求項１１に記載のコントローラ。
【請求項１６】
請求項１〜５の何れか１項に記載のようなタッチアセンブリの少なくとも１つを含む
ことを特徴とする電子機器。
【請求項１７】
プロセッサに実行されることにより、請求項６乃至１０のいずれか１項に記載の機器制御方法を実現することを特徴とするプログラム。
【請求項１８】
請求項１７に記載のプログラムが記録された記録媒体。
【国際調査報告】
2016520947.tif 000017
2016520947.tif 000018
2016520947.tif 000019
2016520947.tif 000020